(57)【要約】  落葉性のツツジに常緑性に関わる遺伝子を導入できる、非耐暑性のツツジに耐暑性に関わる遺伝子を導入できる、一季咲き性のツツジに四季咲き性に関わる遺伝子を導入できる、ツツジの作出方法を提供するものである。落葉性のツツジと常緑性のツツジを交配することによって、落葉性のツツジに常緑性に関わる遺伝子を導入でき、耐暑性のツツジと非耐暑性のツツジとを交配することによって、非耐暑性のツツジに耐暑性に関わる遺伝子を導入できる、そして一季咲き性のツツジと四季咲き性のツツジとを交配することによって、一季咲き性のツツジに四季咲き性に関わる遺伝子を導入できる。【特許請求の範囲】
【請求項１】
落葉性のツツジを常緑性のツツジに変換して育成する常緑性のツツジの育種方法であって、落葉性のツツジと常緑性のツツジとを交配して、前記落葉性のツツジに常緑性に関わる遺伝子を導入することを特徴とするツツジの育種法。
【請求項２】
前記遺伝子の導入が、常緑性のツツジを花粉親または種子親として交配する請求項１記載のツツジの育種法。
【請求項３】
前記落葉性のツツジがコバノミツバツツジ（Ｒｈｏｄｏｄｅｎｄｒｏｎ  ｒｅｔｉｃｕｌａｔｕｍ）、ハヤトミツバツツジ（Ｒｈｏｄｏｄｅｎｄｒｏｎ  ｓａｔｓｕｍｅｎｓｅ）、又はオンツツジ（Ｒｈｏｄｏｄｅｎｄｒｏｎ  ｗｅｙｒｉｃｈｉｉ）であり、前記常緑性のツツジがサクラツツジ（Ｒｈｏｄｏｄｅｎｄｒｏｎ  ｔａｓｈｉｒｏｉ）である請求項１に記載ツツジの育種法。
【請求項４】
交配が、相互交配である請求項１に記載のツツジの育種法。
【請求項５】
落葉性のオンツツジ（Ｒｈｏｄｏｄｅｎｄｒｏｎ  ｗｅｙｒｉｃｈｉｉ）と、落葉性のハヤトミツバツツジ（Ｒｈｏｄｏｄｅｎｄｒｏｎ  ｓａｔｓｕｍｅｎｓｅ）を交配し、前記常緑性に関わる遺伝子を導入する請求項１に記載のツツジの育種法。
【請求項６】
非耐暑性のツツジを耐暑性のツツジに変換して育成する耐暑性のツツジの育種方法であって非耐暑性のツツジと耐暑性のツツジとを交配して、前記非耐暑性のツツジに耐暑性に関わる遺伝子を導入することを特徴とするツツジの育種法。
【請求項７】
前記遺伝子の導入が、耐暑性のツツジを花粉親または種子親として交配する請求項６に記載のツツジの育種法。
【請求項８】
前記耐暑性のツツジが、マルバサツキ（Ｒｈｏｄｏｄｅｎｄｒｏｎ  ｅｒｉｏｃａｒｐｕｍ）であり、前記非耐暑性のツツジがクルメツツジ（Ｋｕｒｕｍｅ  Ａｚａｌｅａ  Ｈｙｂｒｉｄｓ）である請求項６に記載の耐暑性のツツジの育種法。
【請求項９】
前記非耐暑性のツツジが落葉性のツツジ又は常緑性のツツジであって、前記耐暑性のツツジが常緑性のツツジ又は落葉性のツツジであって、更に前記落葉性のツツジに常緑性に関わる遺伝子を導入して育種したツツジに常緑性を付与することを特徴とする請求項６に記載のツツジの育種法。
【請求項１０】
一季咲き性のツツジを四季性のツツジに変換して育成する四季咲き性のツツジの育種方法であって一季咲き性のツツジと四季咲き性のツツジとを交配して、前記一季咲き性のツツジに四季咲き性に関わる遺伝子を導入することを特徴とするツツジの育種法。
【請求項１１】
一季咲き性のツツジに毎年四季咲き性を繰り返すことのできる遺伝子を導入する請求項１０に記載の四季咲き性のツツジの育種法。
【請求項１２】
前記遺伝子の導入が、四季咲き性のツツジを花粉親または種子親として交配する請求項１０に記載のツツジの育種法。
【請求項１３】
四季咲き性のツツジがキンモウツツジ（Ｒｈｏｄｏｄｅｎｄｒｏｎ  ｏｌｄｈａｍｉｉ）であって、一季咲き性のツツジがヒラドツツジ（Ｈｉｒａｄｏ  Ａｚａｌｅａ  Ｈｙｂｒｉｄｓ）である請求項１０に記載のツツジの育種法。
【請求項１４】
前記一季咲き性のツツジが落葉性のツツジ又は常緑性のツツジであって、前記四季咲き性のツツジが常緑性のツツジ又は落葉性のツツジであって、更に前記一季咲き性のツツジに常緑性に関わる遺伝子を導入して育種したツツジに常緑性を付与することを特徴とする請求項１０に記載のツツジの育種法。
【請求項１５】
前記一季咲き性のツツジが落葉性のツツジ又は常緑性のツツジであって、前記四季咲き性のツツジが常緑性のツツジ又は落葉性のツツジであって、更に前記一季咲き性のツツジに常緑性に関わる遺伝子を導入して育種したツツジに常緑性を付与することを特徴とする請求項１１に記載のツツジの育種法。
【請求項１６】
前記一季咲き性の非耐暑性のツツジ又は耐暑性のツツジであって、前記四季咲き性のツツジが耐暑性のツツジ又は非耐暑性のツツジであって、更に前記一季咲き性のツツジに耐暑性に関わる遺伝子を導入して育種したツツジに耐暑性を付与することを特徴とする請求項１０に記載のツツジの育種法。
【請求項１７】
前記一季咲き性の非耐暑性のツツジ又は耐暑性のツツジであって、前記四季咲き性のツツジが耐暑性のツツジ又は非耐暑性のツツジであって、更に前記一季咲き性のツツジに耐暑性に関わる遺伝子を導入して育種したツツジに耐暑性を付与することを特徴とする請求項１１に記載のツツジの育種法。
【請求項１８】
前記一季咲き性の非耐暑性のツツジ又は耐暑性のツツジであって、前記四季咲き性のツツジが耐暑性のツツジ又は非耐暑性のツツジであって、更に前記一季咲き性のツツジに耐暑性に関わる遺伝子を導入して育種したツツジに耐暑性を付与することを特徴とする請求項１４に記載のツツジの育種法。
【請求項１９】
前記一季咲き性の非耐暑性のツツジ又は耐暑性のツツジであって、前記四季咲き性のツツジが耐暑性のツツジ又は非耐暑性のツツジであって、更に前記一季咲き性のツツジに耐暑性に関わる遺伝子を導入して育種したツツジに耐暑性を付与することを特徴とする請求項１５に記載のツツジの育種法。
【請求項２０】
前記交配する２種類の異なるツツジの選択を花きの花色発現に関わる主要アントシアニジン色素のペラルゴニジン（Ｐｇｎ）、シアニジン（Ｃｙｎ）、デルフィニジン（Ｄｐｎ）の遺伝であって、遺伝子型ＨＸＨＸ・Ｐｇ／ｐｇ・Ｃｙ／ｃｙ・Ｄｐ／ｄｐを用いて行うことを特徴とする請求項１、請求項６、請求項９から請求項１１および請求項１４から１９のいずれか１項に記載のツツジの育種法。
【請求項２１】
請求項１、請求項６、請求項９から請求項１１および請求項１４から１９のいずれか１項に記載のツツジの育種法により作出された新規ツツジ。
【発明の詳細な説明】
【技術分野】
【０００１】本発明は、ツツジが落葉性、非耐暑性、一季咲き性であって、落葉性、非耐暑性、一季咲き性のツツジに、常緑性、耐暑性、四季咲き性に関わる遺伝子を導入する新育種法に関する。より詳しくは、開花植物、すなわち、被子植物（ａｎｇｉｏｓｐｅｒｍｓ）の花と、遺伝子型（ｇｅｎｏｔｙｐｅ）を改変するための処理である交配の方法とからなる新規植物またはそれらを得るための処理に関するものである。また、生殖交雑（ｓｅｘｕａｌ  ｈｙｂｒｉｄｉｚａｔｉｏｎ）の段階を含む育種過程（ｂｒｅｅｄｉｎｇ  ｐｒｏｃｅｓｓ）において得られた植物やその一部を用いる方法である。また、新規植物（ｎｅｗ  ｐｌａｎｔｓ）またはそれらを得るための方法であって、被子植物（ａｎｇｉｏｓｐｅｒｍｓ）などの花き類（ｆｌｏｗｅｒｉｎｇ  ｐｌａｎｔｓ）に関する。
【背景技術】
【０００２】５亜属、約８５０種からなるロードデンドロン（Ｒｈｏｄｏｄｅｎｄｒｏｎ）属は、熱帯から寒冷地にかけての低山から高山に分布し、形態的・生態的にも落葉から常緑、あるいは匍匐性から喬木に及ぶなど、膨大な変異を内包しながら特徴あるグループを形成している（非特許文献１、有隅健一：平成２年度科学研究費補助金（一般研究Ｃ）研究成果報告書、１９９１年３月：１−２）。【０００３】ロードデンドロン属の中で園芸的に高く評価され、多彩な品種分化を遂げてきたのは常緑性のツツジ、落葉性のツツジ、無鱗片シャクナゲ、有鱗片シャクナゲの４亜属群である。これらが多彩な品種分化を遂げ得たのは、亜属内での種のゲノム的分化がそれほど大きくはなかったことから、異種間で遺伝子の相互交換がかなり自由に行われ、交配を繰り返しても、雑種が不稔にならなかったことによる（非特許文献２、有隅健一：平成２年度科学研究費補助金（一般研究Ｃ）研究成果報告書、１９９１年３月：１−２、図４−１）。【０００４】ツツジ類の育種は、種内あるいは近縁種間での遺伝子交換の範疇にとどまっており、花色や花型などの形質改良の域を出ていない。特に、生態型の改変を伴った新規性ツツジ類の育種はなく、皆無の状況にあるといっていいのが国内外の現状である（非特許文献１、有隅健一：平成２年度科学研究費補助金（一般研究Ｃ）研究成果報告書、１９９１年３月：１−２）。【０００５】ツツジ類には園芸的観点からはそれぞれに長短がある。例えば、常緑性のツツジ（ｅｖｅｒｇｒｅｅｎ  ａｚａｌｅａ）について栽培は比較的容易であるが、黄色と真の青色を欠くなど、花色に問題点がある。また、落葉性のツツジ（ｄｅｃｉｄｕｏｕｓ  ａｚａｌｅａ）は、エクスバリー種（ｅｘｂｕｒｙ  ａｚａｌｅａ）に強烈な黄色があるものの、本邦を代表するミツバツツジ類に限っては、花色は朱赤か紫紅色に限られ、しかも耐暑性はない（非特許文献３、有隅健一：ロードデンドロン、第３２巻、第１号：６７−８３）。【０００６】本属の内包する膨大な遺伝資源を縦横に活用した新しい園芸種を創出するために、かつて深く交わったことのない異質の生殖質（ｅｘｏｔｉｃ  ｇｅｒｍｐｌａｓｍ）を考慮した育種が展開され、それぞれのツツジ間に散見される異質の生殖質を縦横に会合させることによって、新しい園芸系統が創出されてきた。しかし、耐暑性や四季咲き性などの新しい生殖質を持つ系統（個体）の作出方法は見あたらない（非特許文献１、有隅健一：平成２年度科学研究費補助金（一般研究Ｃ）研究成果報告書、１９９１年３月：１−２）。【０００７】早春、他のツツジ類に先がけて咲くミツバツツジ類の多くの種は、葉の展開以前か、あるいは展開とほぼ同時に開花するため、開花期にはすばらしい美観を呈する。これはミツバツツジ類の最大の特徴である。また、ひし形に近い葉を枝先に三枚輪生し、一部のミツバツツジでは照り葉性を示すなど、他のツツジ類に見られない特徴を持っている（非特許文献４、竹内照雄：誠文堂新光社、１９６９年５月：１０２−１２０；非特許文献５、山崎  敬他：誠文堂新光社、１９７６年３月：６０−７６）。落葉性であるミツバツツジと常緑性のサクラツツジとを交配することによって、常緑性のミツバツツジを��出することができるとされていたが、これまでに作出された報告例はない（非特許文献６、後藤利幸：新花卉、第１０６号：４５）。【０００８】クルメツツジ（「久留米ツツジ」、Ｋｕｒｕｍｅ  ａｚａｌｅａ）は、キリシマツツジ（「霧島ツツジ」、Ｒ．ｏｂｔｕｓｕｍ）とサタツツジ（Ｒ．ｓａｔａｅｎｓｅ）をもとに品種改良が進められた園芸品種群で、現在、約３００品種が広く栽培されている。クルメツツジは小輪多花性で花色は変異に富み、花型も散りにくい二重咲き（ホーズ・イン・ホーズ、ｈｏｓｅ−ｉｎ−ｈｏｓｅ）の品種が多いことから、鉢物や庭木として人気を博している。また、開花期は４月中旬から５月上旬であり、多花性と一斉開花性の特質があることから、行楽地の植栽として欠かせないものとなっている（非特許文献７、田村輝夫他：葦書房、１９８９年４月：３４−１１６）。【０００９】クルメツツジは、花型や花色、あるいは樹姿を対象にして品種改良が進められ、それも旺盛な生育が保証された好適条件下で選抜された品種がほとんどであるため、不良環境には耐えることができない問題点がある。特に、暑地における公園や行楽地、あるいは道路沿いのグリーンベルトに植栽されるクルメツツジが忽然と枯れ上がるのはこの理由による（非特許文献７、田村輝夫他：葦書房、１９８９年４月：３４−１１６）。【００１０】マルバサツキ（Ｒ．ｅｒｉｏｃａｒｐｕｍ）は、耐乾性、耐暑性に富み、自生地の薩南諸島、特にトカラ列島は、今もなお活動する火山性の島嶼であるため、亜硫酸ガスに対する抵抗性をも持つ丈夫な種である。加えてその名の示すとおり、葉は小葉で丸葉である（非特許文献８、国重正昭：誠文堂新光社、１９７６年３月：９８−９９）。【００１１】ヒラドツツジ（「平戸ツツジ」、Ｈｉｒａｄｏ  ａｚａｌｅａ）は、長崎県平戸市近郊で、外来のケラマツツジ（Ｒ．ｓｃａｂｒｕｍ）やタイワンヤマツツジ（Ｒ．ｓｉｍｓｉｉ）と本邦産のモチツツジ（Ｒ．ｍａｃｒｏｓｅｐａｌｕｍ）やキシツツジ（Ｒ．ｒｉｐｅｎｓｅ）との間に生じた自然交雑個体の中から選抜されたもので、ツツジ類の中では最も大型の樹姿、葉、花器を持つものである。また、樹勢は強健で、生育は極めて旺盛である。乾燥や排気ガス、あるいは潮風にも強いところから、わが国では至るところに大量に植栽されている。また、ヒラドツツジは花の大輪性、花色の豊富さ、日持ちの良さを兼ね備え、他の常緑ツツジ類には見ることのできない利点を持つ（非特許文献９、田村輝夫他：葦書房、１９８９年４月：１５３−１６２）。【００１２】ツツジ類のほとんどは、早春から初夏にかけて咲く、いわゆる一季咲き性を示すが、なかには春開花後、夏から秋にかけて再び開花する四季咲き性のツツジがある。中国南東部から台湾にかけて自生するキンモウツツジ（金毛ツツジ、Ｒ．ｏｌｄｈａｍｉｉ）のごく限られた一系統がそうである。このツツジは、葉に密毛があり、花は朱赤色一色と観賞性に乏しいものの、春季開花後、新梢が伸長した後に形成される花芽は、休眠せず開花に至るという周年開花性を示す（非特許文献１０、有隅健一他：園芸学会研究発表要旨、１９７９年：２５６−２５７）。一般に、ツツジは春期開花後、花房直下の腋芽を伸長させ花芽を分化し、秋口���かけて花芽を完成する。その後の低温で花芽は休眠に入り、翌春の気温上昇に伴って発達し、開花に至る。キンモウツツジのごく限られた一系統では、夏期の花芽分化開始後急速に花芽を完成し、花芽は休眠に入ることなく発達しそのまま開花する。露地またはガラス室など制御環境下では、７月から８月にかけて開花を開始し、露地では降霜時まで、また、ガラス室内では年を越えて開花し続ける場合がある（非特許文献１０）。【００１３】  ツツジ類は、自然条件下においては６月下旬から８月中旬の高温期（１８〜２５℃）にかけて花芽を分化し、花芽の完成する９月〜１０月には気温の低下とともに休眠状態に入る。この花芽の休眠は、冬の低温（４〜７℃に３０〜４０日間）に遭遇することによって打破され、翌春の気温上昇に伴って開花に至る（非特許文献１１、五井正憲：新花卉、第１０６号：７２−７５）。【００１４】特開平１１−２６６７２８号（以下、特許文献１という）には、ツツジ属植物の植物組織片から多芽体を形成させ、植物体を大量増殖する方法（特許文献１の第０００５〜００２０段落）の記載がある。「花弁、葉片等、１本の親植物から多数採取することができる出発材料を使用して、多数のシュートを有する多芽体を介することにより、ツツジ属植物を効率よく大量に増殖せしめることができることを見出し、本発明を完成した。」という記載がある。【００１５】米国特許第１３０７３号明細書（以下、特許文献２という）には、アザレア植物として“スカーレット”の記載がある。「新品種“スカーレット”は寒期および促成栽培期においても常緑の葉を落とすことはなく、」、「大変深い赤色で半八重の花を形成し、フリル咲きし、樹体の長持ちがよく、シリンドロクラジウム（Ｃｙｌｉｎｄｒｏｃｌａｄｉｕｍ）菌の感染実験で低い感染率を示す。」という記載がある。【００１６】米国公開公報第２００４００７３９８０号明細書（以下、特許文献３という）には、ロードデンドロンの台木として“ローヅンター４８”の記載がある。「堅実で強固な成長を示す、新しいロードデンドロンの台木である。」という記載がある。【００１７】中国特許第１４１３４３５号明細書（以下、特許文献５という）には、ロードデンドロンデラバーイ（Ｒｈｏｄｏｄｅｎｄｒｏｎ  ｄｅｌａｖａｙｉ）の種子生産法の記載がある。「アザレアの種を再生生産する方法であり、種子再生のプールを構築し、その中に腐植土油（７０−９０の割合）と菜園用土（５−１５の割合）で配合した用土を準備し、アザレアの種（１の割合）と腐植土油（３−５の割合）で混ぜたものを前記したプールに播種し、低コストで７０％以上の再生率を与える方法。」という記載がある。【００１８】
【特許文献１】特開平１１−２６６７２８号公報（第０００５〜００２０段落、図１）
【特許文献２】米国特許第１３０７３号明細書。
【特許文献３】米国公開公報第２００４００７３９８０号明細書
【特許文献４】中国特許第１４１３４３５号明細書
【非特許文献１】有隅健一、「ツツジ・シャクナゲにおける耐暑性・新花色領域の創成に関する研究」、平成２年度科学研究費補助金（一般研究Ｃ）研究成果報告書、研究課題番号６３５６００３２、１９９１年３月、Ｐ．１−２。
【非特許文献２】有隅健一、「ツツジ・シャクナゲにおける耐暑性・新花色領域の創成に関する研究」、平成２年度科学研究費補助金（一般研究Ｃ）研究成果報告書、研究課題番号６３５６００３２、１９９１年３月、Ｐ．１−２、図４−１。
【非特許文献３】有隅健一、「耐暑性シャクナゲの育種（３）」、ロードデンドロン、２００３年、第３２巻、第１号、Ｐ．６７−８３。
【非特許文献４】竹内照雄、「ミツバツツジ類とサクラツツジ」、シャクナゲとツツジ、誠文堂新光社、１９６９年５月、Ｐ．１０２−１２０。
【非特許文献５】山崎  敬、他２名、「ミツバツツジの種類と栽培」、ツツジその種類と栽培、誠文堂新光社、１９７６年３月、Ｐ．６０−７６。
【非特許文献６】後藤利幸、「ミツバツツジ類の育種」、新花卉、第１０６号、１９８０年６月、Ｐ．４５。
【非特許文献７】田村輝夫、他８名、「久留米ツツジの栽培と由来」、久留米のつつじ、葦書房、１９８９年４月、Ｐ．３４−１１６。
【非特許文献８】国重正昭、「その他の常緑性ツツジ」、ツツジその種類と栽培、誠文堂新光社、１９７６年３月、Ｐ．９８−９９。
【非特許文献９】田村輝夫、他８名、「平戸ツツジの栽培と由来」、久留米のつつじ、葦書房、１９８９年４月、Ｐ．１５３−１６２。
【非特許文献１０】有隅健一、他２名、「四季咲きツツジの育種に関する研究」、園芸学会研究発表要旨、１９７９年、昭和５４年度春季大会、Ｐ．２５６−２５７。
【非特許文献１１】五井正憲、「ツツジの開花特性」、新花卉、第１０６号、１９８０年６月、Ｐ．７２−７５。
【発明の開示】
【発明が解決しようとする課題】
【００１９】しかしながら、ミツバツツジ類は落葉性であり、落葉させずに周年の間、葉を観賞することができなかったという問題点がある。クルメツツジ類は不良環境には耐えることができないことから、暑地における公園や行楽地、あるいは道路沿いのグリーンベルトに栽植しても、数年の内に枯れるという問題点がある。また、ツツジ類の鉢物では、日長処理や生長調節剤処理で分化・発達させた花芽の休眠を打破することで開花を促進させれば、冬場に開花（一季咲き）させることができたものの、露地に植栽されるツツジ類にこの手法を用いるにはきわめて困難であり、露地植栽のツツジ類を四季咲きさせることができなかった問題点がある。【００２０】本発明は、市場が要請するこれまでには無かった常緑性のミツバツツジ類、不良環境適応性を有したクルメツツジ類、四季咲き性のヒラドツツジ類を作出できることを見出した上で、落葉性のツツジに常緑性に関わる遺伝子を導入するツツジの育種法、非耐暑性のツツジに耐暑性に関わる遺伝子を導入するツツジの育種法、一季咲き性のツツジに四季咲き性に関わる遺伝子を導入するツツジの育種法を提供すると共に、常緑性のミツバツツジ類、耐暑性のクルメツツジ類、四季咲き性のヒラドツツジ類を提供するものである。
【課題を解決するための手段】
【００２１】本発明者らは、上記の課題を解決するために、落葉性のツツジと常緑性のツツジを交配することによって、落葉性のツツジに常緑性のツツジの、常緑性に関わる遺伝子を導入すると、結果として、常緑性の遺伝形質が受け継がれることを見出した。すなわち、本発明は、落葉性のツツジを常緑性に変換して育成する常緑性のツツジの育種方法であって、落葉性のツツジに常緑性に関わる遺伝子を導入することを特徴とする常緑性のツツジの育種法である。【００２２】本発明者らは、上記の課題を解決するために更に、耐暑性のツツジと非耐暑性のツツジとを交配することによって、非耐暑性のツツジに耐暑性のツツジの耐暑性に関わる遺伝子を導入し、結果として、耐暑性の遺伝形質が受け継がれることを見出した。
すなわち、本発明は、また非耐暑性のツツジを耐暑性のツツジに変換して育成する耐暑性のツツジの育種方法であって非耐暑性のツツジと耐暑性のツツジとを交配して、前記非耐暑性のツツジに耐暑性に関わる遺伝子を導入することを特徴とするものである。【００２３】本発明者らは、上記の課題を解決するために更に、一季咲き性のツツジと四季咲き性のツツジとを交配することによって、一季咲き性のツツジに四季咲き性のツツジの四季咲き性に関わる遺伝子を導入し、結果として、四季咲き性の遺伝形質が受け継がれることを見出した。すなわち本発明は、一季咲き性のツツジを四季性のツツジに変換して育成する四季咲き性のツツジの育種方法であって一季咲き性のツツジと四季咲き性のツツジとを交配して、前記一季咲き性のツツジに四季咲き性に関わる遺伝子（好ましくは一季咲き性のツツジに毎年四季咲き性を繰り返すことのできる遺伝子）を導入することを特徴とするものでる。
【図面の簡単な説明】
【００２４】
【図１】本発明のミツバツツジ類交配Ｆ１の常緑性の出現率を示す図である。調査は２００２年２月に行った。
【図２】オンツツジ（◎）×ハヤトミツバツツジ（●）とＦ１雑種（○）のＣＩＥＬａｂ表色系上の花色分布を示す図である。
【図３】オンツツジ（◎）×コバノミツバツツジ（●）とＦ１雑種（○）のＣＩＥＬａｂ表色系上の花色分布を示す図である。
【図４】オンツツジ（◎）×サクラツツジ（●）とＦ１雑種（○）のＣＩＥＬａｂ表色系上の花色分布を示す図である。
【図５】本発明のマルバサツキ×クルメツツジ交配Ｆ１の二重咲き性（ｈｏｓｅ−ｉｎ−ｈｏｓｅ）の出現率を示す図である。調査は２００２年５月に行った。
【図６】マルバサツキ（●）×クルメツツジ「今猩々」（朱赤色、◎）とＦ１雑種（○）のＣＩＥＬａｂ表色系上の花色分布を示す図である。
【図７】マルバサツキ（●）×クルメツツジ「宮城野」（紅紫色、◎）とＦ１雑種（○）のＣＩＥＬａｂ表色系上の花色分布を示す図である。
【図８】マルバサツキ（●）×クルメツツジ「裾濃の糸」（紫色、◎）とＦ１雑種（○）のＣＩＥＬａｂ表色系上の花色分布を示す図である。
【図９】マルバサツキ（●）×クルメツツジ「麒麟」（桃色、◎）とＦ１雑種（○）のＣＩＥＬａｂ表色系上の花色分布を示す図である。
【図１０】マルバサツキ（●）×クルメツツジ「暮の雪」（白色、◎）とＦ１雑種（○）のＣＩＥＬａｂ表色系上の花色分布を示す図である。
【図１１】ヒラドツツジ交配Ｆ１雑種の月別開花個体数の推移を示す図である。調査は、２００１年９月〜２００３年１月に行った。
【図１２】ヒラドツツジ交配Ｆ１雑種の月別開花個体数の推移を示す図である。調査は、２００１年９月〜２００４年６月に行った。
【図１３】キンモウツツジ（◎）×ヒラドツツジ「大紫」（●）とＦ１雑種（○）のＣＩＥＬａｂ表色系上の花色分布を示す図である。
【図１４】キンモウツツジ（◎）×ヒラドツツジ「曙」（●）とＦ１雑種（○）のＣＩＥＬａｂ表色系上の花色分布を示す図である。
【図１５】キンモウツツジ（◎）×ヒラドツツジ「白妙」（●）とＦ１雑種（○）のＣＩＥＬａｂ表色系上の花色分布を示す図である。
【図１６】キンモウツツジ（◎）×ヒラドツツジ「正之進」（●）とＦ１雑種（○）のＣＩＥＬａｂ表色系上の花色分布を示す図である。
【図１７】キンモウツツジ（◎）×久留米大輪ツツジ「御代の栄」（●）とＦ１雑種（○）のＣＩＥＬａｂ表色系上の花色分布を示す図である。
【発明を実施するための最良の形態】
【００２５】以下、本発明の実施の形態を説明する。【００２６】（常緑性の付与）
本発明の常緑性のツツジの育種法は、落葉性のツツジを常緑性にするものであって、落葉性のツツジに常緑性に関わる遺伝子を導入するものである。本発明で使用する常緑性のツツジ類とは、落葉せずに周年の間、葉を付ける遺伝形質を持つツツジ類である。【００２７】本発明で使用できる落葉性のツツジ類として、限定されるものではないが例えば、アイラム・アザレア（Ｉｌａｍ  Ａｚａｌｅａ）、アウストリヌム（Ｒ．ａｕｓｔｒｉｎｕｍ）、アカヤシオ（Ｒ．ｐｅｎｔａｐｈｙｌｌｕｍ  ｖａｒ．ｎｉｋｏｅｎｓｅ）、アケボノツツジ（Ｒ．ｐｅｎｔａｐｈｙｌｌｕｍ  ｖａｒ．ｓｈｉｋｏｋｉａｎｕｍ）、アトランチクム（Ｒ．ａｔｌａｎｔｉｃｕｍ）、アマギツツジ（Ｒ．ａｍａｇｉａｎｕｍ）、アマクサミツバツツジ（Ｒ．ａｍａｋｕｓａｅｎｓｅ）、アラバメンシス（Ｒ．ａｌａｂａｍｅｎｓｉｓ）、アルボレッセンス（Ｒ．ａｒｂｏｒｅｓｃｅｎｓｅ）、アワノミツバツツジ（Ｒ．ｄｉｌａｔａｔｕｍ  ｖａｒ．ｄｅｃａｎｄｒｕｍ  ｆ．ｌａｓｉｏｃａｒｐｕｍ）、ウラジロミツバツツジ（Ｒ．ｏｓｕｚｕｙａｍｅｎｓｅ）、エクスベリー・アザレア（Ｅｘｂｕｒｙ  Ａｚａｌｅａ）、エゾツツジ（Ｒ．ｃａｍｔｓｃｈａｔｉｃｕｍ）、オオバツツジ（Ｒ．ｎｉｐｐｏｎｉｃｕｍ）、オクシデンターレ（Ｒ．ｏｃｃｉｄｅｎｔａｌｅ）、オクシデンターレ・アザレア（Ｏｃｃｉｄｅｎｔａｌ  Ａｚａｌｅａ）、オンツツジ（Ｒ．ｗｅｙｒｉｃｈｉｉ）、カナデンセ（Ｒ．ｃａｎａｄｅｎｓｅ）、カネッセンス（Ｒ．ｃａｎｅｓｃｅｎｓ）、カレンデュラケウム（Ｒ．ｃａｌｅｎｄｕｌａｃｅｕｍ）、キヨスミミツバツツジ（Ｒ．ｋｉｙｏｓｕｍｅｎｓｅ）、キレンゲツツジ（Ｒ．ｊａｐｏｎｉｃｕｍ  ｆ．ｆｌａｖｕｍ）、クロフネツツジ（Ｒ．ｓｃｈｌｉｐｐｅｎｂａｃｈｉｉ）、ケミツバツツジ（Ｒ．ｄｉｌａｔａｔｕｍ  ｖａｒ．ｌａｓｉｏｃａｒｐｕｍ）、ゲンカイツツジ（Ｒ．ｍｕｃｒｏｎｕｌａｔｕｍ）、ゲント・アザレア（Ｇｈｅｎｔ  Ａｚａｌｅａ）、コバノミツバツツジ（Ｒ．ｒｅｔｉｃｕｌａｔｕｍ）、サイゴクミツバツツジ（Ｒ．ｎｕｄｉｐｅｓ）、シブカワツツジ（Ｒ．ｓａｎｃｔｕｍ  ｖａｒ．ｌａｓｉｏｇｙｎｕｍ）、シロヤシオ（Ｒ．ｑｕｉｎｑｕｅｆｏｌｉｕｍ）、ジングウツツジ（Ｒ．ｓａｎｃｔｕｍ）、スペキオースム（Ｒ．ｓｐｅｃｉｏｓｕｍ）、ダイセンミツバツツジ（Ｒ．ｗａｄａｎｕｍ  ｖａｒ．ｌａｇｏｐｕｓ）、タカクマミツバツツジ（Ｒ．ｖｉｓｃｉｓｔｙｌｕｍ）、タンナアカツツジ（Ｒ．ｗｅｙｒｉｃｈｉｉ  ｖａｒ．ｐｓｉｌｏｓｔｙｌｕｍ）、タンナチョウセンヤマツツジ（Ｒ．ｙｅｄｏｅｎｓｅ  ｖａｒ．ｈａｌｌａｉｓａｎｅｎｓｅ）、トウゴクミツバツツジ（Ｒ．ｗａｄａｎｕｍ）、トサノミツバツツジ（Ｒ．ｄｅｃａｎｄｒｕｍ）、ナップヒル・アザレア（Ｋｎａｐ  Ｈｉｌｌ  Ａｚａｌｅａ）、ナンゴクミツバツツジ（Ｒ．ｍａｙｅｂａｒａｅ）、ヌディフロルム（Ｒ．ｎｕｄｉｆｌｏｒｕｍ）、バイカツツジ（Ｒ．ｓｅｍｉｂａｒｂａｔｕｍ）、ハヤトミツバツツジ（Ｒ．ｄｉｌａｔａｔｕｍ  ｖａｒ．ｓａｔｓｕｍｅｎｓｅ）、バーケリ（Ｒ．ｂａｋｅｒｉ）、ヒダカミツバツツジ（Ｒ．ｈｉｄａｋａｎｕｍ）、ヒメミツバツツジ（Ｒ．ｎａ��ａｓａｋｉａｎｕｍ）、ヒュウガミツバツツジ（Ｒ．ｈｙｕｇａｅｎｓｅ）、ファルレレー（Ｒ．ｆａｒｒｅｒａｅ）、プルニフォリウム（Ｒ．ｐｒｕｎｉｆｏｌｉｕｍ）、ミツバツツジ（Ｒ．ｄｉｌａｔａｔｕｍ）、ムサシミツバツツジ（Ｒ．ｔａｔｕｏｉ）、ムラサキヤシオツツジ（Ｒ．ａｌｂｒｅｃｈｔｉｉ）、モリス・アザレア（Ｍｏｌｌｉｓ  Ａｚａｌｅａ）、モーレ（Ｒ．ｍｏｌｌｅ）、ヤクシマミツバツツジ（Ｒ．ｙａｋｕｍｏｎｔａｎｕｍ）、ユキグニミツバツツジ（Ｒ．ｌａｇｏｐｕｓ  ｖａｒ．ｎｉｐｈｏｐｈｉｌｕｍ）、ラスティカ・フローレ・プレノ・アザレア（Ｒｕｓｔｉｃａ  Ｆｌｏｒｅ  Ｐｌｅｎｏ  Ａｚａｌｅａ）、ルテウム（Ｒ．ｌｕｔｅｕｍ）、レンゲツツジ（Ｒ．ｊａｐｏｎｉｃｕｍ）、ロセウム（Ｒ．ｒｏｓｅｕｍ）、ワセイ（Ｒ．ｖａｓｅｙｉ）、とこれらを親とする園芸品種や交配種が挙げられる。【００２８】本発明で使用できる常緑性のツツジ類として、限定されるものではないが、例えば、アカシマヤマツツジ（Ｒ．ｏｂｔｕｓｕｍ  ｖａｒ．ｋａｅｍｐｆｅｒｉ  ｆ．ｚｏｎａｌｅ）、アザレア（Ａｚａｌｅａ）、アシタカツツジ（Ｒ．ｋｏｍｉｙａｍａｅ）、アマミセイシカ（Ｒ．ａｍａｍｉｅｎｓｅ）、ウレンツツジ（Ｒ．ｅｎｏｍｏｔｏｉ）、ウンゼンツツジ（Ｒ．ｓｅｒｐｙｌｌｉｆｏｌｉｕｍ）、エゾムラサキツツジ（Ｒ．ｄａｕｒｉｃｕｍ）、エゾヤマツツジ（Ｒ．ｏｂｔｕｓｕｍ  ｖａｒ．ｋａｅｍｐｆｅｒｉ  ｆ．ｌａｔｅｓｅｐａｌｕｍ）、オオコメツツジ（Ｒ．ｔｓｃｈｏｎｏｓｋｉｉ  ｖａｒ．ｔｒｉｎｅｒｖｅ）、オオシマツツジ（Ｒ．ｏｂｔｕｓｕｍ  ｖａｒ．ｍａｃｒｏｇｅｍｍａ）、オオヤマツツジ（Ｒ．ｔｒａｎｓｉｅｎｓ）、オオリュウキュウ（Ｒ．ｈｏｒｔｅｎｓｅ）、オガサワラツツジ（Ｒ．ｂｏｎｉｎｅｎｓｅ）、オタクミツツジ（Ｒ．ｏｔａｋｕｍｉ）、キシツツジ（Ｒ．ｒｉｐｅｎｓｅ）、キリシマツツジ（Ｒ．ｏｂｔｕｓｕｍ  ｖａｒ．ｏｂｔｕｓｕｍ）、キンシベ（Ｒ．ｏｂｔｕｓｕｍ  ｖａｒ．ｋａｅｍｐｆｅｒｉ  ｆ．ｋｉｎｓｈｉｂｅ）、キンモウツツジ（Ｒ．ｏｌｄｈａｍｉｉ）、クルメツツジ（Ｋｕｒｕｍｅ  Ａｚａｌｅａ）、ケサクラツツジ（Ｒ．ｔａｓｈｉｒｏｉ  ｖａｒ．ｌａｓｉｏｐｈｙｌｌｕｍ）、ケラマツツジ（Ｒ．ｓｃａｂｒｕｍ）、コメツツジ（Ｒ．ｔｓｃｈｏｎｏｓｋｉｉ）、コリンヤマツツジ（Ｒ．ｏｂｔｕｓｕｍ  ｖａｒ．ｋａｅｍｐｆｅｒｉ  ｆ．ｍｉｃｒａｎｔｈｕｍ）、サカイツツジ（Ｒ．ｌａｐｐｏｎｉｃｕｍ）、サキシマツツジ（Ｒ．ａｍａｎｏｉ）、サクラツツジ（Ｒ．ｔａｓｈｉｒｏｉ）、サタツツジ（ヒメマルバサツキ、Ｒ．ｓａｔａｅｎｓｅ）、サツキ（Ｒ．ｉｎｄｉｃｕｍ）、サンヨウツツジ（Ｒ．ｋｏｍａｔｓｕｉ）、シキザキヤマツツジ（Ｒ．ｏｂｔｕｓｕｍ  ｖａｒ．ｋａｅｍｐｆｅｒｉ  ｆ．ｓｅｍｐｅｒｆｌｏｅｎｓ）、シデヤマツツジ（Ｒ．ｏｂｔｕｓｕｍ  ｖａｒ．ｋａｅｍｐｆｅｒｉ  ｆ．ａｎｇｕｓｔｉｓｅｃｔｕｍ）、シロバナモチツツジ（Ｒ．ｍａｃｒｏｓｅｐａｌｕｍ  ｆ．ｌｅｕｃａｎｔｈｕｍ、シロヤマツツジ（Ｒ．ｏｂｔｕｓｕｍ  ｖａｒ．ｋａｅｍｐｆｅｒｉ  ｆ．ａｌｂｕｍ）、シロリュウキュウ（Ｒ．ｍｕｃｒｏｎａｔｕｍ）、セイシカ（Ｒ．ｌａｔｏｕｃｈｅａｅ）、タイワンヤマツツジ（Ｒ．ｓｉｍｓｉｉ）、タチセンエ（Ｒ．ｏｂｔｕｓｕｍ  ｖａｒ．ｋａｅｍｐｆｅｒｉ  ｆ．ｔａｃｈｉ＆＃８７２２；ｓｅｎｅ）、チョウジコメツツジ（Ｒ．ｔｅｔｒａｍｅｒｕｍ）、チョウセンヤマツツジ（Ｒ．ｙｅｄｏｅｎｓｅ  ｖａｒ．ｐｏｕｋｈａｎｅｎｓｅ）、テリハヤマツツジ（Ｒ．ｌｕｓｉｄｕｓｃｕｌｕｍ）、トキワバイカツツジ（Ｒ．ｕｗａｅｎｓｅ）、ナカハライ（Ｒ．ｎａｋａｈａｒａｉ）、ニシキヤマツツジ（Ｒ．ｏｂｔｕｓｕｍ  ｖａｒ．ｋａｅｍｐｆｅｒｉ  ｆ．ｍｕｌｔｉｃｏｌｏｒ）、ハナノエン（Ｒ．ｏｂｔｕｓｕｍ  ｖａｒ．ｋａｅｍｐｆｅｒｉ  ｆ．ｈａｎａｎｏｅｎ）、ハンノウツツジ（Ｒ．ｈａｎｎｏｅｎｓｅ）、ハンヤエヤマツツジ（Ｒ．ｏｂｔｕｓｕｍ  ｖａｒ．ｋａｅｍｐｆｅｒｉ  ｆ．ｓｅｍｉｆｌｅｎｕｍ）、ヒカゲツツジ（Ｒ．ｋｅｉｓｋｅｉ）、ヒラドツツジ（Ｈｉｒａｄｏ  Ａｚａｌｅａ）、ヒロハヤマツツジ（Ｒ．ｏｂｔｕｓｕｍ  ｖａｒ．ｋａｅｍｐｆｅｒｉ  ｆ．ｌａｔｉｆｏｌｉｕｍ）、ヒメヤマツツジ（Ｒ．ｏｂｔｕｓｕｍ  ｖａｒ．ｋａｅｍｐｆｅｒｉ  ｆ．ｔｕｂｉｆｌｏｒｕｍ）、フジツツジ（Ｒ．ｔｏｓａｅｎｓｅ）、ホウライツツジ（Ｒ．ｍａｃｒｏｔｒａｎｓｉｅｎｓ）、ホソバヤマツツジ（Ｒ．ｏｂｔｕｓｕｍ  ｖａｒ．ｋａｅｍｐｆｅｒｉ  ｆ．ａｎｇｕｓｔｉｆｏｌｉｕｍ）、マルバサツキ（Ｒ．ｅｒｉｏｃａｒｐｕｍ）、ミカワヤマツツジ（Ｒ．ｏｂｔｕｓｕｍ  ｖａｒ．ｍｉｋａｗａｎｕｍ）、ミヤコツツジ（Ｒ．ｔｅｃｔｕｍ）、ミヤマキリシマ（Ｒ．ｋｉｕｓｉａｎｕｍ）、ムラサキヤマツツジ（Ｒ．ｏｂｔｕｓｕｍ  ｖａｒ．ｋａｅｍｐｆｅｒｉ  ｆ．ｍｉｋａｗａｎｕｍ）、モチツツジ（Ｒ．ｍａｃｒｏｓｅｐａｌｕｍ）、ヤエザキヤマツツジ（Ｒ．ｏｂｔｕｓｕｍ  ｖａｒ．ｋａｅｍｐｆｅｒｉ  ｆ．ｋｏｍａｔｓｕｉ）、ヤクシマヤマツツジ（Ｒ．ｙａｋｕｉｎｓｕｌａｒｅ）、ヤマツツジ（Ｒ．ｏｂｔｕｓｕｍ  ｖａｒ．ｋａｅｍｐｆｅｒｉ）、とこれらを親とする園芸品種や交配種が挙げられる。【００２９】このように本発明において、落葉性のツツジに常緑性のツツジの遺伝子を導入するが、常緑性のツツジを花粉親または種子親として落葉性のツツジと交配することによって落葉性のツツジに常緑性のツツジの遺伝子を導入することが可能である。例えば、落葉性のツツジとして、コバノミツバツツジ（Ｒｈｏｄｏｄｅｎｄｒｏｎ  ｒｅｔｉｃｕｌａｔｕｍ）、ハヤトミツバツツジ（Ｒｈｏｄｏｄｅｎｄｒｏｎ  ｓａｔｓｕｍｅｎｓｅ）、オンツツジ（Ｒｈｏｄｏｄｅｎｄｒｏｎ  ｗｅｙｒｉｃｈｉｉ）と、常緑性のツツジとしてサクラツツジ（Ｒｈｏｄｏｄｅｎｄｒｏｎ  ｔａｓｈｉｒｏｉ）とを交配する。さらに、本発明において、常緑性のツツジの花粉親または種子親の交配は、相互交配であることが可能である。例えば、落葉性のオンツツジ（Ｒｈｏｄｏｄｅｎｄｒｏｎ  ｗｅｙｒｉｃｈｉｉ）と、落葉性のハヤトミツバツツジ（Ｒｈｏｄｏｄｅｎｄｒｏｎ  ｓａｔｓｕｍｅｎｓｅ）を交配することによって、常緑性のツツジを育種することが可能となる。【００３０】なお、これらのツツジの選択は、育種しようとする花の形態（色、花型等）に応じて適宜選択するこ���が可能であるが、本発明者が先に出願した非公開のＰＣＴ／ＪＰ２００４／０００２９７（特願２００３−１４４４０６号）に記載の花きの花色遺伝型交配法に基づいて行うことが好ましい。【００３１】  すなわち、この出願によると、「花きの主要花色素である、３つのアントシアニジン：ペラルゴニジン（Ｐｇｎ）、シアニジン（Ｃｙｎ）、デルフィニジン（Ｄｐｎ）の遺伝に着目し、自殖や正逆交雑を行い検討した結果、Ｆ１〜Ｆ４世代の色素表現型の分離から、遺伝の新しい法則を見出した。」、「色素前駆体のＢ環の水酸化に関与するフラボノイド３’−ヒドロキシラーゼ（Ｆ３’Ｈ）とフラボノイド３’、５’−ヒドロキシラーゼ（Ｆ３’、５’Ｈ）の酵素反応系には、ＨＴ、ＨＦ、ＨＤ、ＨＺ、ＨＯの５つの複対立遺伝子が存在し、これらが３’位の水酸化、５’位の水酸化、３’、５’位の水酸化、３’、５’位の水酸化、および３’位と３’、５’位の水酸化を制御し、これらの組合せによって花色表現型が決定されることを見出し、本発明を完成した。」という記載がある。また、「ツツジ（ツツジ科）花弁の色素の分析を行い、各品種の花弁色素遺伝型を調べた。」、「キンモウツツジを種子親に、ヒラドツツジを花粉親として交配を行い、Ｆ１ツツジを作出し、それらの花弁色素の分析を行い、各雑種の色素遺伝型と花色遺伝を調べた。」、「二重咲き花（ホーズ・イン・ホーズ；ｈｏｓｅ−ｉｎ−ｈｏｓｅ）の久留米ツツジと一重花のマルバサツキを交配し、二重咲き花雑種と一重花雑種が１４４個体：１２３個体（１：１）で分離した。その結果、二重咲き花久留米ツツジおよび二重咲き花雑種の、二重咲き形質に関する遺伝型をＤｈｄ（ヘテロ型）と明らかにし、一重花サツキおよび一重花雑種の遺伝型がｄｄ（劣性ホモ型）で有ることを明らかにした。」という記載がある。【００３２】本発明においてもこのような遺伝子型から花の種類、花型等を予測して選択することが可能である。【００３３】（耐暑性の導入）本発明の別の態様において、落葉性のツツジと常緑性のツツジから常緑性のツツジを育種することに代わってあるいは落葉性のツツジと常緑性のツツジから常緑性のツツジを育種することに加えて、非耐暑性のツツジと耐暑性のツツジから耐暑性のツツジを育種することが可能である。【００３４】  耐暑性のツツジ類とは、高温、多湿環境下においても生息することのできる遺伝形質（以下、耐暑性遺伝形質という）を持つツツジ類である。耐暑性のツツジ類とは、このような耐暑性遺伝形質を有するものであれば特に限定されるものではない。例えば、前記落葉性のツツジのうち、耐暑性を有するものは、オンツツジおよびハヤトミツバツツジでありその他は、非耐暑性の落葉性のツツジである。一方、前記常緑性のツツジの例の内、耐暑性を有するものは、ケラマツツジ、サタツツジ、ヒラドツツジ、マルバサツキ、ヤマツツジであり、その他は、非耐暑性の常緑性のツツジである。【００３５】このような耐暑性のツツジおよび非耐暑性のツツジの選択は、常緑性の導入と同様に、育種する花の形態（色、形状）等に応じて適宜選択することができる。本発明においては、このように耐暑性遺伝子形質を有していない非耐暑性のツツジに耐暑性遺伝子を導入することによって耐暑性のツツジを育種することが可能となる。【００３６】なお、非耐暑性のツツジまたは耐暑性のツツジのいずれか一方に本発明による常緑性を付与したツツジを使用することによって、交配するツツジの選択範囲が拡がるのと同時に、常緑性および耐暑性の両者をあわせ持つツツジを育種できる。【００３７】（四季咲き性の導入）本発明の別の態様において、落葉性のツツジと常緑性のツツジから常緑性のツツジを育種することおよび／又は非耐暑性のツツジと耐暑性のツツジから耐暑性のツツジを育種することに加えて、あるいはこれに代わって、一季咲き性のツツジと四季咲き性のツツジから四季咲き性のツツジを育種することが可能となる。【００３８】  本発明において使用する用語四季咲き性のツツジ類とは、周年開花性の遺伝形質（以下、四季咲き遺伝形質という）を持つツツジ類であり、また、一季咲き性のツツジ類とは、四季咲き遺伝子形質を持たないツツジ類である。【００３９】  本発明において使用できる四季咲き性のツツジ類としてこのような四季咲き遺伝形質を持つものであれば特に限定されるものではなく、例えば前記落葉性のツツジおよび常緑性のツツジのうち、キンモウツツジが挙げられる。一方、一季咲き性のツツジ類のツツジ類も特に限定されるものではなく、例えば前記落葉性のツツジおよび常緑性のツツジのうちキンモウツツジ以外のツツジが挙げられる。【００４０】このように一季咲き性のツツジと四季咲き性のツツジを交配して、一季咲き性のツツジの特徴を持つツツジ類に四季咲き性を付与することが可能となる。
なお一季咲き性のツツジの選択は、常緑性の導入と同様に、育種する花の形態（色、形状）等に応じて適宜選択することができる。【００４１】更に、このようにして四季咲き性のツツジと一季咲き性のツツジとを交配して得られた四季咲き性遺伝形質を有する交配種を四季咲き性ツツジとして使用することも本発明の範囲内である。同様にして、本発明により常緑性遺伝形質、耐暑性遺伝形質または両者を有する交配種も親植物として好適に使用することが可能である。【００４２】一季咲き性のツツジまたは四季咲き性のツツジのいずれか一方に本発明の方法により常緑性を付与したツツジまたは常緑性および耐暑性の両方を付与したツツジを使用することによって、交配するツツジの選択範囲が拡がるのと同時に、常緑性および耐暑性の両者をあわせ持つ四季咲き性のツツジを育種できる。
【実施例１】
【００４３】以下、本発明の具体的ツツジの育種方法を実施例に基づいてより詳細に説明する。
〔花粉の保存方法〕ツツジの花粉を小花から採取した葯を薬包紙に包み、シリカゲルを入れたガラスビンに入れ室温で３日間乾燥し、次いで−２０℃で冷凍貯蔵した葯を用いた。交配は無加温のガラス室内で行い、まず花弁と雄蕊を取り除き、２〜３日後に雌蕊の先端に粘液が充分に分泌したことを確かめ、貯蔵しておいた花粉を柱頭に塗布した。
【実施例２】
【００４４】〔交配種子の保存方法〕ツツジを交配後、５〜６カ月目に充分に熟し、果皮が褐色に変化したさく果を採取し、室内で乾燥させ、開さくさせた。次いで、得られた種子を薬包紙に包み、シリカゲルを入れたガラスビンに入れ室温で播種時まで保存した。
【実施例３】
【００４５】〔交配種子の播種の方法、その１：ジフィーポットでの播種〕ツツジの交配種子を以下の方法で播種した。１２月上旬に、ジフィーポット（径８．５ｃｍ）に、赤玉土、鹿沼土、ボラ土のいずれも細粒を１：１：１の割合で混合した用土を７分目まで入れ、さらにその上に細かく砕いた水苔を０．５ｃｍほど敷いたものに交配種子を播種した。なお、用土はあらかじめダニコール１０００倍希釈液とスミチオン乳剤１５００倍希釈液で滅菌と殺虫処理を行った。播種数は１ポット当たり１００粒ずつとし、播種後充分に潅水し、ガラス室内に設置した２５℃に保った透明ビニルで被覆した枠内に搬入した。播種後、ほぼ２０日で発芽が認められるが、発芽直後から翌年３月下旬の移植時まで、植物育成用蛍光灯を用いて深夜４時間点灯し（午後１０時〜午前２時）補光した。また、発芽後は、Ｎ：Ｐ：Ｋの比率を４：４：３の割合に調製した発酵油かす液肥を、週１回１０００倍希釈濃度で潅水をかねて与えた。
【実施例４】
【００４６】〔交配種子の播種の方法、その２：セルトレイでの播種〕ツツジの交配種子を以下の方法で播種した。１２月上旬に、１２８穴のセルトレイ（５４×２８×５ｃｍ）に赤玉土、鹿沼土、ボラ土のいずれも細粒を１：１：１の割合で混合した用土を８分目まで入れ、さらにその上に細かく砕いた水苔を敷いたものに播種した。播種数は、１穴当たり５〜７粒ずつとした。播種後充分に潅水し、ガラス室内に設置した２５℃に保ったビニルで被覆した枠内に搬入した。発芽直後から翌年３月下旬まで、植物育成用蛍光灯を用いて深夜４時間点灯し（午後１０時〜午前２時）補光した。また、発芽後は、Ｎ：Ｐ：Ｋの比率を４：４：３の割合に調製した発酵油かす液肥を、週１回１０００倍希釈濃度で潅水をかねて与えた。翌月４月上旬にかけて、セルトレイ１穴当たり１〜２本（個体）になるように間引きした。これを３２℃の高温に保った恒温室内に搬入し、７月上旬までの３ヶ月間、照度３０００ｌｕｘ、１６時間日長条件下で育苗した。この間、０．１％ハイポネック溶液（商品名：株式会社ハイポネックスジャパン）を２週間毎に与え、ダニコール（商品名：エス・ディー・エス株式会社）１０００倍希釈液とスミチオン乳剤（商品名：九州三共株式会社）１５００倍希釈液を散布した。７月上旬からセルトレイを無加温のガラス室に移動させ、以降、発酵油かす液肥を２週間に１回１０００倍希釈濃度で与え、ダニコール（商品名：エス・ディー・エス株式会社）１０００倍希釈液を２週間に１回散布した。
【実施例５】
【００４７】〔実生苗の移植〕その１の方法で播種した翌年３月下旬〜４月上旬にかけて、第１回目の移植を行った。０．５ｃｍ〜１ｃｍに伸びた交配実生を、プラントベッド（３５×４５×深さ１０ｃｍ）に赤玉土、鹿沼土、ボラ土のいずれも細粒を、１：１：１の割合で混合した用土を８分目まで入れたものに移植した。移植数は、１プラントベッド当たり１２０〜２４０個体ずつとした。
【実施例６】
【００４８】〔実生苗の移植後の育苗管理方法、その１〕実生苗の移植後、無加温のガラス室内に搬入した。移植後の管理は、Ｎ：Ｐ：Ｋの比率を４：４：３の割合に調製した発酵油かす液肥を２週間に１回１０００倍希釈濃度で与え、実生の立枯れを防ぐためにダニコール（商品名：エス・ディー・エス株式会社）１０００倍希釈液を２週間に１回散布した。【００４９】第１回目の移植の翌年３月下旬に、第２回目の移植を行った。プラントベッドで生存していた交配実生を、径９ｃｍの黒ビニルポットに赤玉土、鹿沼土、ボラ土を、１：１：１の割合で混合した用土を８分目まで入れたものに１個体ずつ移植した。【００５０】さらに、第２回目の移植の翌年３月下旬に、径１５ｃｍの黒ビニルポットに同じ用土を用いて第３回目の移植を行った。この第２回目の移植からの４年間の育苗管理は、５月から３カ月毎に油かすを置肥として与え、１カ月毎にスミチオン乳剤（商品名：九州三共株式会社）１５００倍希釈液を散布した。
【実施例７】
【００５１】〔実生苗の移植後の育苗管理方法、その２〕実生苗の移植後、３２℃の高温に保った恒温室内に搬入し、６月３０日までの３ヶ月間、照度３０００ｌｕｘ、１６時間日長条件下で育苗した。この高温処理の期間中、０．１％ハイポネック（商品名：株式会社ハイポネックスジャパン）溶液を２週間毎に与え、ダニコール（商品名：エス・ディー・エス株式会社）１０００倍希釈液とスミチオン乳剤１５００倍希釈液を散布した。７月１日にプラントベッドを無加温のガラス室に移動させ、以後、発酵油かす液肥を２週間に１回１０００倍希釈濃度で与え、ダニコール（商品名：エス・ディー・エス株式会社）１０００倍希釈液を２週間に１回散布した。【００５２】第１回目の移植の翌年３月下旬に、第２回目の移植を行った。プラントベッドで生存していた交配実生を、赤玉土、鹿沼土、ボラ土を、１：１：１の割合で混合した用土を入れた径９ｃｍの黒ビニルポットに１個体ずつ移植し、無加温のガラス室内で育苗管理した。この間、移植後の５月から３カ月毎に油かすを置肥として与え、１カ月毎にスミチオン乳剤１５００倍希釈液を散布した。
【実施例８】
【００５３】１９９７年３月下旬〜４月中旬にかけて、以下に示す４組合わせで交配を行った。（１）オンツツジ（熊本県天草産、鉢植え）×ハヤトミツバツツジ（イワツツジ、鹿児島県牧園町産、鉢植え）、（２）オンツツジ（熊本県天草産、鉢植え）×コバノミツバツツジ（熊本県市房山産、鉢植え）、（３）オンツツジ（熊本県天草産、鉢植え）×サクラツツジ（鹿児島県屋久島産、鉢植え）、（４）ミツバツツジ（赤紫色、鉢植え）×ハヤトミツバツツジ（イワツツジ、鹿児島県牧園町産、鉢植え）。交配花数、結さく数（結さく率）、総種子数、播種数、発芽率を調査した。その結果を表１に示す。なお、開花期の異なる種間の交配の場合、開花期の早いものを花粉親とし、遅いものを種子親とした。交配日は１９９７年３月２７日〜４月１１日、結さく調査日は１９９７年１０月上旬、採さく日は１９９７年１１月下旬、播種日は１９９７年１２月１０日〜１２日、発芽率調査日は１９９８年３月２６日〜４月３日である。また、生存率の推移を調査した。１９９８年と１９９９年の、いずれも３月下旬〜４月上旬にかけて行った第１回目と第２回目の移植後の実生の生存率の推移を表２と表３に示した。１プラントベッド当たり１２０個体の実生を植え込んだのが第１回目の移植で、１年後、１個体ずつビニルポットに植え付けたのが第２回目の移植である。表２の（  ）内の生存率は、１９９８年４月１日の移植数を１００％として表示した。移植日は１９９８年３月２６日〜４月３日（第１回目移植）であり、生存率調査日は表２に示す、調査月のほぼ末日とした。表３の（  ）内の生存率は、１９９９年４月１日の移植数を１００％として表示した．移植日は１９９９年３月２８日〜４月１日（第２回目移植）であり、生存率調査日は表３に示す調査月のほぼ末日とした。【００５４】
【表１】
2005009116.tif 000002
【００５５】表１に示す４交配組合わせのいずれの交配組合わせでも、ほぼ５０％から９０％に及ぶ結さく率を示し、組合わせの如何による交配不和合は認められなかった。発芽率は、オンツツジ×サクラツツジの交配組合わせで３７．７％と、やや低い値を示したが、他の３交配組合わせでは、ほぼ４７％から６４％の値を示した。特に、結さく率の高かったオンツツジ×ハヤトミツバツツジの交配組合わせで、６４％の比較的高い発芽率を示した。【００５６】
【表２】
2005009116.tif 000003
【００５７】
【表３】
2005009116.tif 000004
【００５８】表２および表３から分かるように、両移植とも、移植後２〜３カ月で４交配組合わせは７０％以上の高い生存率を示し、移植後６カ月を経過した９月末日には、オンツツジ×ハヤトミツバツツジの交配組合わせが高い生存率を維持した。他は６０％以下と、生存率はやや減少した。しかし、１０月以降は９月末日の生存率をほぼ保った。移植という処置と夏場の高温が実生の生育にストレスを与えたが、半数以上の実生が生き残った。
【実施例９】
【００５９】２０００年および２００１年の３月下旬〜４月中旬にかけて、以下に示す６組合わせで交配を行った。（１）オンツツジ（熊本県天草産、鉢植え）×ハヤトミツバツツジ（イワツツジ、鹿児島県牧園町産、鉢植え）（２）オンツツジ（熊本県天草産、鉢植え）×コバノミツバツツジ（熊本県市房山産、鉢植え）（３）オンツツジ（熊本県天草産、鉢植え）×サクラツツジ（鹿児島県屋久島産、鉢植え）（４）ハヤトミツバツツジ（イワツツジ、鹿児島県牧園町産、鉢植え）×コバノミツバツツジ（熊本県市房山産、鉢植え）（５）ハヤトミツバツツジ（イワツツジ、鹿児島県牧園町産、鉢植え）×サクラツツジ（鹿児島県屋久島産、鉢植え）（６）コバノミツバツツジ（熊本県市房山産、鉢植え）×サクラツツジ（鹿児島県屋久島産、鉢植え）。【００６０】交配花数、結さく数（結さく率）、総種子数、播種数、発芽率を調査した。その結果を表４に示す。なお、開花期の異なる種間の交配の場合、開花期の早いものを花粉親とし、遅いものを種子親とした。これら６組合わせの交配は、貯蔵花粉を用いて３月下旬〜４月中旬にかけて行った。表４の交配日は２０００年３月３１日〜４月２２日、結さく調査日は２０００年９月上旬、採さく日は２０００年１１月上旬、播種日は２０００年１２月１日〜４日、発芽率調査日は２００１年３月２９日〜４月１日である。【００６１】表５の交配日は２００１年３月２９日〜４月１５日、結さく調査日は２００１年１０月下旬、採さく日は２００１年１１月中旬、播種日は２００１年１２月５日〜９日、発芽率調査日は２００２年４月２日〜５日である。また、生存率の推移を調査した。２０００年度交配種子について、２００１年３月下旬〜４月上旬にかけて行ったプラントベッドへの第１回目の移植後、３カ月間に亘って高温処理した実生の生存率を表６に示した。更に、２００２年３月下旬〜４月上旬にかけて行ったビニルポットへの第２回目の移植後の生存率の結果を表７に示した。表６の（  ）内の生存率は、２００１年４月１日の移植数を１００％として表示した。移植日は２００１年３月２９日〜４月１日（第１回目移植）であり、移植後３ヶ月間高温処理した。生存率調査日は表６に示す調査月のほぼ末日とした。表７の（  ）内の生存率は、２００２年４月１日の移植数を１００％として表示した。移植日は２００２年３月２６日〜２９日
（２回目移植）であり、生存率調査日は表７に示す調査月のほぼ末日とした。【００６２】
【表４】
2005009116.tif 000005
【００６３】
【表５】
2005009116.tif 000006
【００６４】表４（２０００年交配）と表５（２００１年交配）の結果、表５に示すコバノミツバツツジ×サクラツツジ交配組合わせでの４２％を除いては、いずれの年度および交配組合わせでも、ほぼ５０％から９０％に及ぶ結さく率を示し、組合わせの如何による交配不和合は認められなかった。発芽率は、サクラツツジを片親に用いた交配組合わせでいずれも４０％以下と、やや低い値であったが、他の交配組合わせでは５８％以上の値を示した。特に、オンツツジ×ハヤトミツバツツジの組合わせと表５のコバノミツバツツジ×ハヤトミツバツツジの組合わせで、７０％以上の高い発芽率であった。【００６５】
【表６】
2005009116.tif 000007
【００６６】
【表７】
2005009116.tif 000008
【００６７】２００１年３月下旬〜４月上旬にかけて行ったプラントベッドへの第１回目の移植後、３カ月間に亘って高温処理した実生の生存率を表６に示した。５月末日にはすべての交配組合わせで７５％以上を示したものが、９月末日には５１〜６１％へと激減した。その後も生存率は漸減し、翌年３月末日には３５〜４８％の値を示した（表６）。これに対し、表７に示した２００２年３月下旬〜４月上旬にかけて行ったビニルポットへの第２回目の移植では、移植後の生存率の低下はさほど大きくなく、各交配組合わせは、２００２年６月末日に７８〜８８％であったものが、２００３年３月には６２〜８２％に低下するにとどまった（表７）。
【実施例１０】
【００６８】２００１年の３月下旬〜４月中旬にかけて、以下に示す６組合わせで交配を行った。（１）オンツツジ（熊本県天草産、鉢植え）×ハヤトミツバツツジ（イワツツジ、鹿児島県牧園町産、鉢植え）（２）オンツツジ（熊本県天草産、鉢植え）×コバノミツバツツジ（熊本県市房山産、鉢植え）（３）オンツツジ（熊本県天草産、鉢植え）×サクラツツジ（鹿児島県屋久島産、鉢植え）（４）ハヤトミツバツツジ（イワツツジ、鹿児島県牧園町産、鉢植え）×サクラツツジ（鹿児島県屋久島産、鉢植え）コバノミツバツツジ（熊本県市房山産、鉢植え）（５）コバノミツバツツジ（熊本県市房山産、鉢植え）×ハヤトミツバツツジ（イワツツジ、鹿児島県牧園町産、鉢植え）（６）コバノミツバツツジ（熊本県市房山産、鉢植え）×サクラツツジ（鹿児島県屋久島産、鉢植え）。これらの交配種子については、移植の操作を行わず、セルトレイにて直接生育させた実生をセルトレイの１穴当たり１〜２個体に実生数を調整し、２００２年４月上旬から３カ月間に亘って高温処理した。その生存率を表８に示した。表８の（  ）内の生存率は、２００２年４月１日の調整した実生数を１００％として表示した。実生数調整日は２００２年４月２日〜５日で、調整後３ヶ月間高温処理を行った。生存率調査日は表８に示す調査月のほぼ末日とした。【００６９】
【表８】
2005009116.tif 000009
【００７０】表８の結果、６月末日にすべての交配組合わせで７８〜８８％の値を示したものが、翌年３月末日には６２〜８２％と、生存率はあまり低下しなかった。この結果、移植を行うことにより生存率が低下したことから、生存率の低下の原因としては、高温環境よりむしろ移植の処理がもたらすことを見出した。
【実施例１１】
【００７１】１９９７年３月下旬〜４月中旬にかけて行った、以下に示す３組合わせの、（１）オンツツジ（熊本県天草産、鉢植え）×ハヤトミツバツツジ（イワツツジ、鹿児島県牧園町産、鉢植え）、（２）オンツツジ（熊本県天草産、鉢植え）×コバノミツバツツジ（熊本県市房山産、鉢植え）、（３）オンツツジ（熊本県天草産、鉢植え）×サクラツツジ（鹿児島県屋久島産、鉢植え）の、交配で生存した３９１個体のＦ１雑種について、常緑性（冬期の落葉性）を調査した結果を図１に示す。【００７２】図１に示すように、オンツツジ×サクラツツジ交配Ｆ１実生では、調査した１０１個体すべてが常緑性を有することを見出した。オンツツジ×ハヤトミツバツツジ交配Ｆ１実生は２２２個体中１８２個体（８２％）が、また、オンツツジ×コバノミツバツツジ交配Ｆ１実生は６８個体中６個体（９％）が常緑性を示すことを見出した。サクラツツジを片親に用いた場合の交配Ｆ１実生が１００％常緑性を有したので、サクラツツジの持つ常緑性が優性形質であり、サクラツツジを用いた交雑後代に常緑性の遺伝形質が受け継がれた。
【実施例１２】
【００７３】１９９７年３月下旬〜４月中旬にかけて行った、以下に示す３組合わせの、（１）オンツツジ（熊本県天草産、鉢植え）×ハヤトミツバツツジ（イワツツジ、鹿児島県牧園町産、鉢植え）、（２）オンツツジ（熊本県天草産、鉢植え）×コバノミツバツツジ（熊本県市房山産、鉢植え）、（３）オンツツジ（熊本県天草産、鉢植え）×サクラツツジ（鹿児島県屋久島産、鉢植え）の、２００３年３月に開花に至った常緑性のツツジの、花弁の花色を調査した。花弁を採集し、色彩計で測色し、Ｌ＊、ａ＊、ｂ＊値を求め、色相角（ｈ）を算出した。より詳しくは、２００３年３月中に開花した、オンツツジ×ハヤトミツバツツジの交配で５８個体、オンツツジ×コバノミツバツツジの交配で１７個体、オンツツジ×サクラツツジの交配で１７個体、ミツバツツジ×ハヤトミツバツツジの交配で９個体の、合計１０１個体の花色を調査した。【００７４】オンツツジ×ハヤトミツバツツジ交配実生について、交配親のオンツツジの花弁は、ａ＊値＝４７．９、ｂ＊値＝５．４を示し、ハヤトミツバツツジの花弁は、ａ＊値＝３９．８、ｂ＊値＝−２５．２を示した。Ｆ１交配実生は、ａ＊値で４３．５〜６８．８、ｂ＊値で−１７．２〜−２７．５の範囲に収まる個体分布を示し、花色を現わす色相角ｈ（図２で、横軸であるａ＊軸と縦軸であるｂ＊軸の交点、即ち、０を中心として、例えばオンツツジがプロットされた（◎）に向かって直線を引き、その直線とａ＊軸がなす角度を表す、以下同じ）は、交配親の色相角の範疇に入る分布を示した。また、交配実生の色度分布は、オンツツジよりハヤトミツバツツジに偏り、Ｆ１雑種がハヤトミツバツツジに似た花色を持つことがわかる（図２）。【００７５】オンツツジ×コバノミツバツツジ交配実生について、一方の交配親のコバノミツバツツジの花弁は、ａ＊値＝５７．５、ｂ＊値＝−２３．８を示す。Ｆ１交配実生は、ａ＊値で３５．２〜６２．８、ｂ＊値で−１３．７〜−２３．８の範囲に収まる個体分布を示し、花色を現わす色相角ｈについては、コバノミツバツツジの色相角を超えて分布するものと、交配親の色相角の範疇に入る分布を示すものがあった。また、交配実生の色度分布は、オンツツジよりコバノミツバツツジに偏り、Ｆ１雑種がコバノミツバツツジに似た花色を持つことがわかる。【００７６】オンツツジ×サクラツツジ交配実生について、一方の交配親のサクラツツジの花弁は、ａ＊値＝４．７、ｂ＊値＝−２．５を示す。Ｆ１交配実生は、ａ＊値で１５．２〜５７．５、ｂ＊値で−６．９〜−２１．８の範囲に収まる個体分布を示し、花色を現わす色相角ｈは、交配親の色相角の範疇に入る分布を示した。また、交配実生の色相分布は、オンツツジよりサクラツツジに偏り、Ｆ１雑種がサクラツツジに似た花色を持つことがわかる。
【実施例１３】
【００７７】１９９７年、２０００年および２００１年の３月下旬〜４月中旬にかけて、以下に示す５組合わせで交配を行った。（１）マルバサツキ（鹿児島県中之島産、鉢植え）×クルメツツジ「今猩々」（朱赤色、二重咲き、露地植え）（２）マルバサツキ（鹿児島県中之島産、鉢植え）×クルメツツジ「宮城野」（紫紅色、二重咲き、鉢植え）（３）マルバサツキ（鹿児島県中之島産、鉢植え）×クルメツツジ「裾濃の糸」（紫色、一重咲き、鉢植え）（４）マルバサツキ（鹿児島県中之島産、鉢植え）×クルメツツジ「麒麟」（桃色、二重咲き、鉢植え）（５）マルバサツキ（鹿児島県中之島産、鉢植え）×クルメツツジ「暮の雪」（白色、二重咲き、鉢植）。【００７８】いずれの交配組合せについても、４月中下旬に開花するクルメツツジを花粉親にし、５月上旬に遅れて開花するマルバサツキを種子親とした。花粉は、開花の早いクルメツツジの小花から採取した葯を薬包紙に包み、シリカゲルを入れたガラスビンに入れ、まず４℃で３日間乾燥し、次いで−２０℃で冷凍貯蔵したものを用いた。交配は無加温のガラス室内で行い、まず花弁と雄蕊を取り除き、２〜３日後に雌蕊の先端に粘液が充分に分泌したことを確かめ、貯蔵しておいた花粉を柱頭に塗布した。交配後ほぼ６カ月目、果皮が褐色に変化し充分に熟したさく果を採取し、室内で乾燥させ、開さくさせた。次いで、得られた種子を薬包紙に包み、シリカゲルを入れたガラスビンに入れ４℃で播種時まで保存した。【００７９】播種はジフィーポットに播種した。１９９８年３月２４日〜４月１日にかけて第１回目の移植を、また、１９９９年３月２６日〜２９日にかけて第２回目の移植を、さらに、２００１年３月１８日〜２２日にかけて第３回目の移植を行った。交配花数、結さく数（結さく率）、種子数、播種数、発芽率を調査した。その結果を表９、表１０および表１１に示す。【００８０】表９について、交配日は１９９７年６月６日〜２５日、結さく調査日は１９９７年１１月下旬、採さく日は１９９７年１２月５日、播種日は１９９７年１２月８日〜１０日、発芽率調査日は１９９８年３月２４日〜４月１日であった。表１０について、交配日は２０００年５月３１日〜６月１５日、結さく調査日は２０００年１１月下旬、採さく日は２０００年１１月２１日、播種日は２０００年１１月２９日〜１２月２日、発芽率調査日は２００１年３月２７日〜２９日であった。表１１について、交配日は２００１年５月２５日〜６月１９日、結さく調査日は２００１年１１月中旬、採さく日は２００１年１１月２８日、播種日は２００１年１２月３日〜８日、発芽率調査日は２００２年３月３１日〜４月４日であった。なお、表１０と表１１に示す５組合わせの交配は、貯蔵花粉を用いて５月下旬〜６月中旬にかけて行ったものである。【００８１】
【表９】
2005009116.tif 000010
【００８２】表９に示す５つの組合わせについて、ほぼ５０％から８０％に及ぶ結さく率を示し、組合わせの如何による交配不和合は認められなかった。発芽率は、マルバサツキ×クルメツツジ「暮の雪」の交配組合わせで３９．８％、また、マルバサツキ×クルメツツジ「裾濃の糸」の交配組合わせで４２．５％と、やや低い値を示したが、他の３交配組合わせでは、ほぼ５０％から６０％の値を示した（表９）。結さく率の高かったマルバサツキ×クルメツツジ「宮城野」の交配組合わせは５３％の発芽率を示した。【００８３】
【表１０】
2005009116.tif 000011
【００８４】
【表１１】
2005009116.tif 000012
【００８５】表１０と表１１に示すように、マルバサツキ×クルメツツジ「裾濃の糸」の交配組合わせで５５％と、やや低い結さく率を示した例もあるが、他は、いずれの年度および交配組合わせでも、ほぼ６０％から７５％に及ぶ結さく率を示し、組合わせの如何による交配不和合は認められなかった。発芽率は、表１０のマルバサツキ×クルメツツジ「宮城野」と表１１のマルバサツキ×クルメツツジ「裾濃の糸」の組合わせでいずれも５０％以下と、やや低い値を示したが、他
の交配組合わせでは、６０％以上の値を示した（表１０、表１１）。花粉親にクルメツツジを用いた場合、これらは品種レベルで軌（揆）を一つにしていることから、交配組合わせ間で結さく率、発芽率ともに似た値を示すことを見出した。
【実施例１４】
【００８６】１９９７年、２０００年および２００１年の３月下旬〜４月中旬にかけて行った次の５つの組合わせで交配の、（１）マルバサツキ（鹿児島県中之島産、鉢植え）×クルメツツジ「今猩々」（朱赤色、二重咲き、露地植え）（２）マルバサツキ（鹿児島県中之島産、鉢植え）×クルメツツジ「宮城野」（紫紅色、二重咲き、鉢植え）（３）マルバサツキ（鹿児島県中之島産、鉢植え）×クルメツツジ「裾濃の糸」（紫色、一重咲き、鉢植え）（４）マルバサツキ（鹿児島県中之島産、鉢植え）×クルメツツジ「麒麟」（桃色、二重咲き、鉢植え）（５）マルバサツキ（鹿児島県中之島産、鉢植え）×クルメツツジ「暮の雪」（白色、二重咲き、鉢植）の、生存率の推移を調査した。１９９７年度交配種子について、１９９８年と１９９９年の、いずれも３月下旬〜４月上旬にかけて行った第１回目と第２回目の移植後の実生の生存率の推移を調査し、その結果を表１２と表１３に示した。第１回目の移植では１プラントベッド当たり１２０個体の実生を植え込んだ。その１年後、第２回目の移植では１個体ずつビニルポットに植え付けた。第１回目の移植を示す表１２の（  ）内の生存率は、１９９８年４月１日の移植数を１００％として表示した。移植日は１９９８年３月２４日〜４月１日に第１回目移植を行い、生存率調査日は表１２に示す調査月のほぼ末日とした。第２回目の移植を示す表１３の（  ）内の生存率は、２００２年４月１日の移植数を１００％として表示した。移植日は１９９９年３月２６日〜２９日に第２回目の移植を行い、生存率調査日は表１３に示す調査月のほぼ末日とした。【００８７】
【表１２】
2005009116.tif 000013
【００８８】
【表１３】
2005009116.tif 000014
【００８９】第１回目の移植（表１２）では、移植後２カ月で、５交配組合わせは８８％以上のきわめて高い生存率を示したが、移植後６カ月を経過した９月末日には、すべて６６％以下と生存率は激減した。また、第２回目の移植（表１３）では、移植後３カ月で、５交配組合わせは７５％以上の高い生存率を示したが、移植後６カ月を経過した９月末日には、すべて６９％以下と生存率は低下した。しかしいずれの年度も、１０月以降は生存率は漸減するにとどまった。移植という処置と夏場の高温が実生の生育にストレスを与えたが、この結果から生存したＦ１実生が耐暑性の遺伝形質を獲得することを見出した。
【実施例１５】
【００９０】５つの組合わせで交配の、（１）マルバサツキ（鹿児島県中之島産、鉢植え）×クルメツツジ「今猩々」（朱赤色、二重咲き、露地植え）（２）マルバサツキ（鹿児島県中之島産、鉢植え）×クルメツツジ「宮城野」（紫紅色、二重咲き、鉢植え）（３）マルバサツキ（鹿児島県中之島産、鉢植え）×クルメツツジ「裾濃の糸」（紫色、一重咲き、鉢植え）（４）マルバサツキ（鹿児島県中之島産、鉢植え）×クルメツツジ「麒麟」（桃色、二重咲き、鉢植え）（５）マルバサツキ（鹿児島県中之島産、鉢植え）×クルメツツジ「暮の雪」（白色、二重咲き、鉢植）の、２０００年度交配種子について、２００１年３月下旬に行ったプラントベッドへの第１回目の移植後、３カ月間に亘って高温処理した実生の生存率を調査し、その結果を表１４に示した。引き続き２００２年３月下旬にビニルポットへの第２回目の移植を行い、生存率を調査し、その結果を表１５に示した。表１４の（  ）内の生存率は、２００１年４月１日の移植数を１００％として表示した。移植日は２００１年３月２７日〜２９日に第１回目移植を行い、移植後３ヶ月間高温処理を行った。生存率調査日は表１４に示す調査月のほぼ末日とした。また、表１５の（  ）内の生存率は、２００２年４月１日の移植数を１００％として表示した。移植日は２００２年３月２４日〜２７日に第２回目の移植を行い、生存率調査日は表１５に示す調査月のほぼ末日とした。【００９１】
【表１４】
2005009116.tif 000015
【００９２】
【表１５】
2005009116.tif 000016
【００９３】第１回目の移植（表１４）では、５月末日にはすべての交配組合わせで７８％以上を示したものが、９月末日には４０〜４２％へと激減した。しかし、その後は生存率の急な低下は見られず、翌年３月末日には３５〜４２％の値を示した（表１４）。第２回目の移植（表１５）では、移植後３カ月で、５交配組合わせは７４％以上の高い生存率を示したが、移植後６カ月を経過した９月末日には、すべて５５％以下と生存率は激減した。しかし、その後は生存率はあまり低下せず、翌年３月末日には３２〜４５％の値を示した（表１５）。移植に加え、高温処理と夏期の高温が、耐暑性の篩いとして充分に効いていると考え、この結果から生存したＦ１実生が耐暑性の遺伝形質を獲得することを見出した。
【実施例１６】
【００９４】５つの組合わせで交配の、（１）マルバサツキ（鹿児島県中之島産、鉢植え）×クルメツツジ「今猩々」（朱赤色、二重咲き、露地植え）（２）マルバサツキ（鹿児島県中之島産、鉢植え）×クルメツツジ「宮城野」（紫紅色、二重咲き、鉢植え）（３）マルバサツキ（鹿児島県中之島産、鉢植え）×クルメツツジ「裾濃の糸」（紫色、一重咲き、鉢植え）（４）マルバサツキ（鹿児島県中之島産、鉢植え）×クルメツツジ「麒麟」（桃色、二重咲き、鉢植え）（５）マルバサツキ（鹿児島県中之島産、鉢植え）×クルメツツジ「暮の雪」（白色、二重咲き、鉢植）の、２００１年度交配種子について、移植を行わずにセルトレイで生育させた実生を１穴当たり１〜２個体に実生数を調整した後、２００２年４月上旬から３カ月間に亘って高温処理した場合の生存率を調査した。その結果を表１６に示した。表１６の（  ）内の生存率は、２００２年４月１日の調整した実生数を１００％として表示した。移植日は２００２年３月２４日〜２７日に第２回目の移植を行い、移植後３ヶ月間高温処理を行った。生存率調査日は表１６に示す調査月のほぼ末日とした。【００９５】
【表１６】
2005009116.tif 000017
【００９６】表１６に示すように、５月末日にすべての交配組合わせで８９〜９８％の高い生存率を示したが、翌年３月末日には６２〜７２％と、さほど生存率は低下しなかった。生存率の低下は、高温よりむしろ移植という処置がもたらすものと考えられた。この結果、生存したＦ１実生が耐暑性の遺伝形質を獲得することを見出した。
【実施例１７】
【００９７】５つの組合わせで交配の、（１）マルバサツキ（鹿児島県中之島産、鉢植え）×クルメツツジ「今猩々」（朱赤色、二重咲き、露地植え）（２）マルバサツキ（鹿児島県中之島産、鉢植え）×クルメツツジ「宮城野」（紫紅色、二重咲き、鉢植え）（３）マルバサツキ（鹿児島県中之島産、鉢植え）×クルメツツジ「裾濃の糸」（紫色、一重咲き、鉢植え）（４）マルバサツキ（鹿児島県中之島産、鉢植え）×クルメツツジ「麒麟」（桃色、二重咲き、鉢植え）（５）マルバサツキ（鹿児島県中之島産、鉢植え）×クルメツツジ「暮の雪」（白色、二重咲き、鉢植）の、耐暑性の遺伝形質を獲得し、生存したＦ１実生の二重咲き性について調査した。その結果を図２に示す。【００９８】図２には、マルバサツキ×クルメツツジ「今猩々」の組合わせで５８個体中３４個体、マルバサツキ×クルメツツジ「宮城野」の組合わせで１２４個体中５７個体、マルバサツキ×クルメツツジ「麒麟」の組合わせで６８個体中４０個体、マルバサツキ×クルメツツジ「暮の雪」の組合わせで２８個体中１４個体の二重咲き性Ｆ１が開花した。開花個体に占める二重咲き花の割合は、マルバサツキ×クルメツツジ「今猩々」の組合わせで５８％、マルバサツキ×クルメツツジ「宮城野」の組合わせで４６％、マルバサツキ×クルメツツジ「麒麟」の組合わせで５８％、マルバサツキ×クルメツツジ「暮の雪」の組合わせで５０％であった。また、マルバサツキ×クルメツツジ「裾濃の糸」の組合わせでは、開花した４７個体はすべてが一重咲きであった（図５）。前記の交配組合わせでは、花粉親に用いた「今猩々」、「宮城野」、「麒麟」、「暮の雪」はすべて二重咲きで、「裾濃の糸」は一重咲きである。つまり、Ｆ１での二重咲き花の出現割合から、二重咲き性は優性形質で、花粉親に用いた二重咲き品種は、二重咲き性に関してヘテロの遺伝子型を持つことを見出した。結果として、二重咲き品種を花粉親に用いると、５０％の確率で二重咲きの花が得られることがわかった。
【実施例１８】
【００９９】５つの組合わせで交配の、（１）マルバサツキ（鹿児島県中之島産、鉢植え）×クルメツツジ「今猩々」（朱赤色、二重咲き、露地植え）（２）マルバサツキ（鹿児島県中之島産、鉢植え）×クルメツツジ「宮城野」（紫紅色、二重咲き、鉢植え）（３）マルバサツキ（鹿児島県中之島産、鉢植え）×クルメツツジ「裾濃の糸」（紫色、一重咲き、鉢植え）（４）マルバサツキ（鹿児島県中之島産、鉢植え）×クルメツツジ「麒麟」（桃色、二重咲き、鉢植え）（５）マルバサツキ（鹿児島県中之島産、鉢植え）×クルメツツジ「暮の雪」（白色、二重咲き、鉢植）の、１９９７年度交配種子について、開花した３２１個体の耐暑性のツツジの、花弁の花色を調査した。花弁を採集し、色彩計で測色し、Ｌ＊、ａ＊、ｂ＊値を求め、色相角（ｈ）を算出した。【０１００】マルバサツキ×クルメツツジ「今猩々」の交配実生について、まず交配親のマルバサツキの花弁は、ａ＊値＝２８．４、ｂ＊値＝−２３．２を示し、「今猩々」の花弁は、ａ＊値＝５８．３、ｂ＊値＝２７．５を示す。交配実生は、ａ＊値で４２．４〜６８．０、ｂ＊値で−２．２〜−２７．８の範囲に収まる個体分布を示し、花色を現わす色相角ｈは、交配親の色相角の範疇に入る分布を示した。また、交配実生の色度については、「今猩々」よりマルバサツキに分布は偏り、Ｆ１雑種がマルバサツキに似た花色を持つことがわかる（図６）。【０１０１】マルバサツキ×クルメツツジ「宮城野」の交配実生について、一方の交配親「宮城野」の花弁は、ａ＊値＝６６．３、ｂ＊値＝３．０を示す。交配実生は、ａ＊値で４３．４〜６８．７、ｂ＊値で−２．３〜−２６．８の範囲に収まる個体分布を示し、花色を現わす色相角ｈは、交配親の色相角の範疇に入る分布を示した。また、交配実生の色度については、「宮城野」からマルバサツキに及ぶ幅広い分布を示したが、どちらかといえばマルバサツキに分布は偏り、マルバサツキに似た花色を持つＦ１雑種が多く輩出されたことがわかる（図７）。【０１０２】マルバサツキ×クルメツツジ「裾濃の糸」の交配実生について、一方の交配親「裾濃の糸」の花弁は、ａ＊値＝５７．５、ｂ＊値＝−１７．８を示す。交配実生は、ａ＊値で４８．０〜６６．３、ｂ＊値で−８．２〜−２８．０の範囲に収まる個体分布を示し、花色を現わす色相角ｈは、交配親の色相角の範疇に入る分布を示すものと、少数ではあるが「裾濃の糸」より小さな角度を示すものがあった。また、交配実生の色度については、マルバサツキより「裾濃の糸」に偏り、Ｆ１雑種が「裾濃の糸」に似た花色を持つことがわかる（図８）。【０１０３】マルバサツキ×クルメツツジ「麒麟」の交配実生について、一方の交配親「麒麟」の花弁は、ａ＊値＝４２．３、ｂ＊値＝２．５を示す。交配実生は、ａ＊値で２９．１〜６２．０、ｂ＊値で−８．２〜−２３．１の範囲に収まる個体分布を示し、花色
を現わす色相角ｈは、交配親の色相角の範疇に入る分布を示した。また、交配実生の色度については、マルバサツキに分布は偏り、Ｆ１雑種がマルバサツキに似た花色を持つことがわかる（図９）。【０１０４】マルバサツキ×クルメツツジ「暮の雪」の交配実生について、一方の交配親「暮の雪」の花弁は、ａ＊値＝−４．９、ｂ＊値＝７．２を示す。交配実生は、ａ＊値で３６．３〜５７．７、ｂ＊値で−１６．８〜−２６．１の範囲に収まる個体分布を示し、花色を現わす色相角ｈは、交配親の色相角の範疇に入る分布を示した。また、交配実生の色度については、マルバサツキに分布は偏り、Ｆ１雑種がマルバサツキに似た花色を持つことがわかる（図１０）。
【実施例１９】
【０１０５】１９９７年８月下旬〜９月中旬にかけて、以下に示す５組合わせで交配を行った。（１）キンモウツツジ（鉢植え）×ヒラドツツジ「大紫」（紫紅色、露地植え）（２）キンモウツツジ（鉢植え）×ヒラドツツジ「曙」（桃色、露地植え）（３）キンモウツツジ（鉢植え）×ヒラドツツジ「白妙」（白色、露地植え）（４）キンモウツツジ（鉢植え）×ヒラドツツジ「正之進」（朱赤色、露地植え）（５）キンモウツツジ（鉢植え）×久留米大輪ツツジ「御代の栄」（ヒラドツツジ「白妙」×アザレア「王冠」の雑種、淡桃色、露地植え）１９９７年４月中下旬に開花したヒラドツツジを花粉親にし、８月下旬に開花するキンモウツツジを種子親とした。花粉は、開花の早いヒラドツツジの小花から採取した葯を薬包紙に包み、シリカゲルを入れたガラスビンに入れ、まず４℃で３日間乾燥し、次いで−２０℃で冷凍貯蔵したものを用いた。交配は無加温のガラス室内で行い、まず花弁と雄蕊を取り除き、２〜３日後に雌蕊の先端に粘液が充分に分泌したことを確かめ、貯蔵しておいた花粉を柱頭に塗布した。交配後ほぼ４カ月目、果皮が褐色に変化し充分に熟したさく果を採取し、室内で乾燥させ、開さくさせた。次いで、得られた種子を薬包紙に包み、シリカゲルを入れたガラスビンに入れ４℃で播種時まで保存した。【０１０６】本交配種子を１９９８年１月１８日から２０日にかけて、ジフィーポット（径８．５ｃｍ）に、赤玉土、鹿沼土、ボラ土のいずれも細粒を、１：１：１の割合で混合した用土を７分目まで入れ、さらにその上に細かく砕いた水苔を０．５ｃｍほど敷いたものに播種した。なお、用土はあらかじめベンレート（商品名：デュポン株式会社）１０００倍希釈液とスミチオン乳剤（商品名：九州三共株式会社）１５００倍希釈液で滅菌と殺虫処理を行った。播種数は１ポット当たり１００粒ずつとし、播種後充分に潅水し、ガラス室内に設置した２５℃に保った透明ビニルで被覆した枠内に搬入した。播種後、ほぼ２０日で発芽が認められるが、発芽直後から１９９８年３月下旬の移植時まで、植物育成用蛍光灯を用いて深夜４時間点灯し（午後１０時〜午前２時）補光した。また、発芽後は、Ｎ：Ｐ：Ｋの比率を４：４：３の割合に調製した発酵油かす液肥を、週１回１０００倍希釈濃度で潅水をかねて与えた。本交配について、交配花数、結さく数（結さく率）、種子数、播種数、発芽率を調査した。その結果を表１７に示す。表１７の交配日は１９９７年８月３１日〜９月１８日、結さく調査日は１９９７年１２月上旬、採さく日は１９９７年１２月２４日〜１９９８年１月５日、播種日は１９９８年１月１８日〜２０日、発芽率調査日は１９９８年３月２７日〜４月３日であった。【０１０７】
【表１７】
2005009116.tif 000018
【０１０８】表１７に示す５つの組合わせのキンモウツツジ×ヒラドツツジ系の交配は、ほぼ４２％から５２％に及ぶ結さく率を示し、組合わせの如何による交配不和合は認められなかった。発芽率は、キンモウツツジ×ヒラドツツジ「曙」、キンモウツツジ×ヒラドツツジ「白妙」の交配組合わせでほぼ６５％、また、キンモウツツジ×ヒラドツツジ「大紫」、キンモウツツジ×ヒラドツツジ「正之進」、キンモウツツジ×久留米大輪ツツジ「御代の栄」の交配組合わせで７３％から８８％を示した（表１７）。
【実施例２０】
【０１０９】１９９７年８月下旬〜９月中旬にかけて、交配を行った５つの組合わせの、（１）キンモウツツジ（鉢植え）×ヒラドツツジ「大紫」（紫紅色、露地植え）（２）キンモウツツジ（鉢植え）×ヒラドツツジ「曙」（桃色、露地植え）（３）キンモウツツジ（鉢植え）×ヒラドツツジ「白妙」（白色、露地植え）（４）キンモウツツジ（鉢植え）×ヒラドツツジ「正之進」（朱赤色、露地植え）（５）キンモウツツジ（鉢植え）×久留米大輪ツツジ「御代の栄」（ヒラドツツジ「白妙」×アザレア「王冠」の雑種、淡桃色、露地植え）の、後代Ｆ１実生の生存率を調査した。実生は１９９８年３月下旬〜４月上旬にかけて第１回目の移植をプラントベッドに行い、１９９９年３月下旬〜４月上旬にかけて第２回目の移植を９ｃｍのビニルポットに行った。さらに、２００１年３月下旬〜４月上旬にかけて第３回目の移植を１５ｃｍのビニルポットに行った。１９９８年４月から２００３年３月までのＦ１実生の生存率を表１８に示す。表１８の（  ）内の生存率は、１９９８年４月１日の移植数を１００％として表示した。移植日は１９９８年３月２７日〜４月３日に第１回目の移植を行い、１９９９年３月２８日〜４月３日に第２回目の移植を行い、２００１年３月３０日〜４月２日に第３回目の移植を行った。生存率調査日は表１８に示す調査月のほぼ末日とした。【０１１０】
【表１８】
2005009116.tif 000019
【０１１１】表１８に示す、第１回目の移植から１年後の第２回目の移植時の生存率は、キンモウツツジ×ヒラドツツジ「白妙」の組合わせで２８％と、かなり低かった例を除いて、他の組合わせではほぼ５０％から５７％を示した。２０００年４月には、キンモウツツジ×ヒラドツツジ「白妙」で１８％と、さらに生存率は低下したが、他の組合わせでも３２％から３５％と、同様に低下した。その後、２００１年３月下旬〜４月上旬にかけて行った第３回目の移植を経て、２００３年３月までは、生存率はわずかに低下するにとどまった。キンモウツツジ×ヒラドツツジ「白妙」で１２％、他の組合わせで２２％〜３０％の生存率を示した。
【実施例２１】
【０１１２】２０００年８月下旬〜９月中旬にかけて、以下に示す５組合わせで交配を行った。（１）キンモウツツジ（鉢植え）×ヒラドツツジ「大紫」（紫紅色、露地植え）（２）キンモウツツジ（鉢植え）×ヒラドツツジ「曙」（桃色、露地植え）（３）キンモウツツジ（鉢植え）×ヒラドツツジ「白妙」（白色、露地植え）（４）キンモウツツジ（鉢植え）×ヒラドツツジ「正之進」（朱赤色、露地植え）（５）キンモウツツジ（鉢植え）×久留米大輪ツツジ「御代の栄」（ヒラドツツジ「白妙」×アザレア「王冠」の雑種、淡桃色、露地植え）２０００年４月中下旬に開花したヒラドツツジを花粉親にし、８月下旬に開花するキンモウツツジを種子親とした。花粉は、開花の早いヒラドツツジの小花から採取した葯を薬包紙に包み、シリカゲルを入れたガラスビンに入れ、まず４℃で３日間乾燥し、次いで−２０℃で冷凍貯蔵したものを用いた。交配は無加温のガラス室内で行い、まず花弁と雄蕊を取り除き、２〜３日後に雌蕊の先端に粘液が充分に分泌したことを確かめ、貯蔵しておいた花粉を柱頭に塗布した。交配後ほぼ４カ月目、果皮が褐色に変化し充分に熟したさく果を採取し、室内で乾燥させ、開さくさせた。次いで、得られた種子を薬包紙に包み、シリカゲルを入れたガラスビンに入れ４℃で播種時まで保存した。【０１１３】本交配種子を２０００年１月２１日から２４日にかけて、ジフィーポット（径８．５ｃｍ）に、赤玉土、鹿沼土、ボラ土のいずれも細粒を、１：１：１の割合で混合した用土を７分目まで入れ、さらにその上に細かく砕いた水苔を０．５ｃｍほど敷いたものに播種した。なお、用土はあらかじめベンレート（商品名：デュポン株式会社）１０００倍希釈液とスミチオン乳剤（商品名：九州三共株式会社）１５００倍希釈液で滅菌と殺虫処理を行った。播種数は１ポット当たり１００粒ずつとし、播種後充分に潅水し、ガラス室内に設置した２５℃に保った透明ビニルで被覆した枠内に搬入した。播種後、ほぼ２０日で発芽が認められるが、発芽直後から２００１年３月下旬の移植時まで、植物育成用蛍光灯を用いて深夜４時間点灯し（午後１０時〜午前２時）補光した。また、発芽後は、Ｎ：Ｐ：Ｋの比率を４：４：３の割合に調製した発酵油かす液肥を、週１回１０００倍希釈濃度で潅水をかねて与えた。本交配について、交配花数、結さく数（結さく率）、種子数、播種数、発芽率を調査した。その結果を表１９に示す。表１９の交配日は２０００年８月２８日〜９月１６日、結さく調査日は２０００年１２月上旬、採さく日は２０００年１２月２１〜２４日、播種日は２００１年１月２１日〜２４日、発芽率調査日は２００１年３月２６日〜２９日であった。【０１１４】
【表１９】
2005009116.tif 000020
【０１１５】表１９に示す５つの組合わせの交配は、ほぼ６０％から７５％に及ぶ結さく率を示し、組合わせの如何による交配不和合は認められなかった。発芽率は、すべての交配組合わせで６５％以上と高かった。
【実施例２２】
【０１１６】２０００年８月下旬〜９月中旬にかけて、交配を行った５つの組合わせの、（１）キンモウツツジ（鉢植え）×ヒラドツツジ「大紫」（紫紅色、露地植え）（２）キンモウツツジ（鉢植え）×ヒラドツツジ「曙」（桃色、露地植え）（３）キンモウツツジ（鉢植え）×ヒラドツツジ「白妙」（白色、露地植え）（４）キンモウツツジ（鉢植え）×ヒラドツツジ「正之進」（朱赤色、露地植え）（５）キンモウツツジ（鉢植え）×久留米大輪ツツジ「御代の栄」（ヒラドツツジ「白妙」×アザレア「王冠」の雑種、淡桃色、露地植え）の、後代Ｆ１実生の生存率を調査した。実生は２００１年３月下旬〜４月上旬にかけて第１回目の移植をプラントベッドに行い、２００２年３月下旬に第２回目の移植を９ｃｍのビニルポットに行った。２００１年４月から２００３年３月までのＦ１実生の生存率を表２０に示す。表２０の（  ）内の生存率は、２００１年４月１日の移植数を１００％として表示した。移植日は２００１年３月２９日〜４月３日に第１回目の移植を行い、２００２年３月２５日〜４月１日に第２回目の移植を行った。生存率調査日は表２０に示す調査月のほぼ末日とした。【０１１７】
【表２０】
2005009116.tif 000021
【０１１８】表２０に示す、第１回目の移植から１年後の第２回目の移植時の生存率は、キンモウツツジ×ヒラドツツジ「白妙」の組合わせで４９％と、５０％に満たなかったが、他の組合わせでは、５４％から５９％を示した。２００３年３月には、キンモウツツジ×ヒラドツツジ「白妙」で３２％と、さらに生存率は低下したが、他の組合わせでは、キンモウツツジ×久留米大輪ツツジ「御代の栄」で５３％と、生存率を維持した組合わせと、キンモウツツジ×ヒラドツツジ「曙」、キンモウツツジ×ヒラドツツジ「大紫」、キンモウツツジ×ヒラドツツジ「正之進」の４１％から４７％と、やや生存率の低下した組合わせがあった。
【実施例２３】
【０１１９】１９９７年８月下旬〜９月中旬にかけて、交配を行った５つの組合わせの、（１）キンモウツツジ（鉢植え）×ヒラドツツジ「大紫」（紫紅色、露地植え）（２）キンモウツツジ（鉢植え）×ヒラドツツジ「曙」（桃色、露地植え）（３）キンモウツツジ（鉢植え）×ヒラドツツジ「白妙」（白色、露地植え）（４）キンモウツツジ（鉢植え）×ヒラドツツジ「正之進」（朱赤色、露地植え）（５）キンモウツツジ（鉢植え）×久留米大輪ツツジ「御代の栄」（ヒラドツツジ「白妙」×アザレア「王冠」の雑種、淡桃色、露地植え）の、後代Ｆ１実生の秋咲きの開花性を調査した。その結果、Ｆ１交配実生は、２００１年８月には開花樹齢に達し、９月には開花し始めた。２００３年１月までに秋季〜冬期に亘って開花した個体は、キンモウツツジ×ヒラドツツジ「大紫」交配実生で２６個体中２０個体（開花率７７％）、キンモウツツジ×ヒラドツツジ「曙」交配実生で３２個体中２４個体（開花率７５％）、キンモウツツジ×ヒラドツツジ「白妙」交配実生で１４個体中１３個体（開花率９３％）、キンモウツツジ×ヒラドツツジ「正之進」交配実生で３０個体中２６個体（開花率８７％）、キンモウツツジ×久留米大輪ツツジ「御代の栄」交配実生で７３個体中６０個体（開花率８２％）であった。開花個体の実生個体群に占める割合（開花率）はそれぞれ７５％以上と、高率で秋咲き性を示した。
【実施例２４】
【０１２０】１９９７年８月下旬〜９月中旬にかけて、交配を行った５つの組合わせの、（１）キンモウツツジ（鉢植え）×ヒラドツツジ「大紫」（紫紅色、露地植え）（２）キンモウツツジ（鉢植え）×ヒラドツツジ「曙」（桃色、露地植え）（３）キンモウツツジ（鉢植え）×ヒラドツツジ「白妙」（白色、露地植え）（４）キンモウツツジ（鉢植え）×ヒラドツツジ「正之進」（朱赤色、露地植え）（５）キンモウツツジ（鉢植え）×久留米大輪ツツジ「御代の栄」（ヒラドツツジ「白妙」×アザレア「王冠」の雑種、淡桃色、露地植え）の、後代Ｆ１実生の秋咲きの開花した株（個体）数を調査した（図１１）。開花は２００１年９月に始まり、１１〜１２月に最大数を数え、２００２年３月にはいわゆる春期開花のピークを迎えた。一方、２００２年は７月に開花し始め、１０〜１２月にかけて最大数を数えた。秋（冬）期開花のピークが前年よりやや早まる傾向を示した。この結果、キンモウツツジを種子親に用いた交配から、高率で夏期〜冬期開花性のＦ１後代の、四季咲き性のツツジを得ることができる。
【実施例２５】
【０１２１】１９９７年８月下旬〜９月中旬にかけて、交配を行った５つの組合わせの、（１）キンモウツツジ（鉢植え）×ヒラドツツジ「大紫」（紫紅色、露地植え）（２）キンモウツツジ（鉢植え）×ヒラドツツジ「曙」（桃色、露地植え）（３）キンモウツツジ（鉢植え）×ヒラドツツジ「白妙」（白色、露地植え）（４）キンモウツツジ（鉢植え）×ヒラドツツジ「正之進」（朱赤色、露地植え）（５）キンモウツツジ（鉢植え）×久留米大輪ツツジ「御代の栄」（ヒラドツツジ「白妙」×アザレア「王冠」の雑種、淡桃色、露地植え）の、後代Ｆ１実生の秋咲きの開花した株（個体）数を調査した（図１２）。開花は２００１年９月に始まり、１１〜１２月に最大数を数え、２００２年と２００３年は共に１１月に最大数である１０３個体と１１６個体を数えた。２００２年から毎年３月にはいわゆる春期開花のピークを迎えた。この結果、キンモウツツジを種子親に用いた交配から、高率で夏期〜冬期開花性のＦ１後代の、四季咲き性のツツジを得ることができ、かつ、これらの四季咲き性のツツジは毎年四季咲きすることがわかる。
【実施例２６】
【０１２２】１９９７年８月下旬〜９月中旬にかけて、交配を行った５つの組合わせの、（１）キンモウツツジ（鉢植え）×ヒラドツツジ「大紫」（紫紅色、露地植え）（２）キンモウツツジ（鉢植え）×ヒラドツツジ「曙」（桃色、露地植え）（３）キンモウツツジ（鉢植え）×ヒラドツツジ「白妙」（白色、露地植え）（４）キンモウツツジ（鉢植え）×ヒラドツツジ「正之進」（朱赤色、露地植え）
（５）キンモウツツジ（鉢植え）×久留米大輪ツツジ「御代の栄」（ヒラドツツジ「白妙」×アザレア「王冠」の雑種、淡桃色、露地植え）の、
開花した１４３個体の耐暑性のツツジの、花弁の花色を調査した。花弁を採集し、色彩計で測色し、Ｌ＊、ａ＊、ｂ＊値を求め、色相角（ｈ）を算出した。【０１２３】キンモウツツジ×ヒラドツツジ「大紫」の交配実生について、まず交配親キンモウツツジの花弁は、ａ＊値＝５４．１、ｂ＊値＝２５．３で、「大紫」の花弁は、ａ＊値＝５５．８、ｂ＊値＝−２３．０である。交配実生は、ａ＊値で４８．１〜６５．０、ｂ＊値で１８．２〜−２０．１の範囲に収まる個体分布を示し、花色を現わす色相角ｈは、交配親の色相角の範疇に入る分布を示した。また、交配実生の色度については、キンモウツツジと「大紫」のほぼ中間に広く分布し、Ｆ１雑種には、キンモウツツジに似た花色のもの、「大紫」に似た花色のもの、両者の中間の花色を示すものが出現した（図１３）。【０１２４】キンモウツツジ×ヒラドツツジ「曙」の交配実生について、一方の交配親「曙」の花弁は、ａ＊値＝２９．９、ｂ＊値＝−８．３をである。交配実生は、ａ＊値で４７．７〜６５．０、ｂ＊値で２３．４〜−１５．８の範囲に収まる個体分布を示し、花色を現わす色相角ｈは、交配親の色相角の範疇に入る分布を示した。また、交配実生の色度については、キンモウツツジから「曙」に及ぶ幅広い分布を示し、キンモウツツジに似た花色のもの、「曙」に似た花色のもの、両者の中間の花色を示すものが出現した（図１４）。【０１２５】キンモウツツジ×ヒラドツツジ「白妙」の交配実生について、一方の交配親「白妙」の花弁は、ａ＊値＝−１．７、ｂ＊値＝４．９である。交配実生は、ａ＊値で４４．８〜６０．１、ｂ＊値で１９．８〜−１６．４の範囲に収まる個体分布を示し、花色を現わす色相角ｈは、交配親の色相角の範疇にまったく入らない分布を示した。また、交配実生の色度については、キンモウツツジに似た朱赤の花色のものから紫紅のものまでの、連続的な分布を示した（図１５）。【０１２６】キンモウツツジ×ヒラドツツジ「正之進」の交配実生について、一方の交配親「正之進」の花弁は、ａ＊値＝５８．０、ｂ＊値＝１８．４である。交配実生は、ａ＊値で４９．８〜５８．１、ｂ＊値で１０．８〜２２．７の範囲に収まる個体分布を示し、花色を現わす色相角ｈは、交配親の色相角の範疇に入らないものが半数以上出現した。また、交配実生の色度については、「正之進」に分布は偏っており、Ｆ１雑種は「正之進」に似た花色を持つことがわかる（図１６）。【０１２７】キンモウツツジ×久留米大輪ツツジ「御代の栄」の交配実生について、一方の交配親「御代の栄」の花弁は、ａ＊値＝３７．２、ｂ＊値＝−９．１である。交配実生は、ａ＊値で０．１〜６１．８、ｂ＊値で２１．５〜−１２．２の広大な範囲の個体分布を示した。この個体分布は、低ａ＊値／低ｂ＊値、高ａ＊値／高ｂ＊値、高ａ＊値／低ｂ＊値の、おもに三つのグループに分かれ、他の交配組合わせに見られない特徴を示した。花色を現わす色相角ｈは、交配親の色相角の範疇にほぼ入る分布を示し、交配実生の色度については、キンモウツツジに偏るもの、「御代の栄」に偏るもの、両者から離れて白色域に偏るものの分布を示した（図１７）。【０１２８】これらの実施例から、本発明のツツジの育種法が優れた、常緑性の��ツジ、耐暑性のツツジ、四季咲き性のツツジ、を作出方法であることは明らかである。
【産業上の利用可能性】
【０１２９】  ミツバツツジ類は落葉性であったが、落葉させずに周年の間、葉を観賞することができるようになった。クルメツツジ類は不良環境には耐えることができなかったが、暑地における公園や行楽地、あるいは道路沿いのグリーンベルトに栽植しても、枯れずに周年開花できる。ツツジ類の鉢物に、日長処理や生長調節剤処理で分化・発達した花芽の休眠を打破することで開花を促進させなくても、露地植栽のツツジ類を四季咲きさせることができる。【０１３０】本発明は、市場が要請するこれまでには無かった常緑性のミツバツツジ類、不良環境適応性を有したクルメツツジ類、四季咲き性のヒラドツツジ類を作出できることを見出した上で、落葉性のツツジに常緑性に関わる遺伝子を導入することのできるツツジの生態型育種法、非耐暑性のツツジに耐暑性に関わる遺伝子を導入することのできるツツジの生態型育種法、一季咲き性のツツジに四季咲き性に関わる遺伝子を導入することのできるツツジの生態型育種法を提供できる。本発明によって、常緑性のミツバツツジ類、耐暑性のクルメツツジ類、四季咲き性のヒラドツツジ類を提供できる。
【図１】
2005009116.tif 000022
【図２】
2005009116.tif 000023
【図３】
2005009116.tif 000024
【図４】
2005009116.tif 000025
【図５】
2005009116.tif 000026
【図６】
2005009116.tif 000027
【図７】
2005009116.tif 000028
【図８】
2005009116.tif 000029
【図９】
2005009116.tif 000030
【図１０】
2005009116.tif 000031
【図１１】
2005009116.tif 000032
【図１２】
2005009116.tif 000033
【図１３】
2005009116.tif 000034
【図１４】
2005009116.tif 000035
【図１５】
2005009116.tif 000036
【図１６】
2005009116.tif 000037
【図１７】
2005009116.tif 000038
【国際調査報告】
2005009116.tif 000039
2005009116.tif 000040
2005009116.tif 000041
2005009116.tif 000042
2005009116.tif 000043
2005009116.tif 000044
2005009116.tif 000045
2005009116.tif 000046